(57)【要約】  本願は、モバイル通信の分野に関し、特に無線通信システムにおけるランダムアクセス技術に関する。本願は、ランダムアクセス・プリアンブル・シーケンスを送信する方法、機器、及びシステムを提供する。本ソリューションでは、端末装置は、高速移動シナリオに適合する循環シフト値を取得し、該循環シフト値に対応するランダムアクセス・プリアンブル・シーケンスを送信する。高速移動シナリオによりもたらされる影響は、ランダムアクセス・プリアンブル・シーケンスが決定されるとき考慮され、それにより、高速シナリオにおける端末装置間の干渉を回避する。
2019536338.tif 000002
【特許請求の範囲】
【請求項１】
ランダムアクセス・プリアンブル・シーケンスを送信する方法であって、
端末装置により、ランダムアクセス・プリアンブル・シーケンスxu,v(n)を送信するステップであって、xu,v(n)はxu,v(n)=xu((n+Cv)modNZC)を満たし、ルートシーケンス番号がuであるZC(Zadoff−Chu)シーケンスは次式のように定義され：
【数１】
2019536338.tif 000277
NZCはxu(n)のシーケンス長であり、modはモジュロ演算を表し、Cvは次式を満たし：
【数２】
2019536338.tif 000278
NCSは整数であり、
【数３】
2019536338.tif 000279
のとき
【数４】
2019536338.tif 000280
は以下を満たし：
【数５】
2019536338.tif 000281
【数６】
2019536338.tif 000282
のとき
【数７】
2019536338.tif 000283
は以下を満たし：
【数８】
2019536338.tif 000284
【数９】
2019536338.tif 000285
のとき
【数１０】
2019536338.tif 000286
は以下を満たし：
【数１１】
2019536338.tif 000287
又は、
【数１２】
2019536338.tif 000288
のとき
【数１３】
2019536338.tif 000289
は以下を満たし：
【数１４】
2019536338.tif 000290
duは以下を満たし：
【数１５】
2019536338.tif 000291
pは、(p×u)modNZC=１を満たす最小非負整数として定義される、ステップ、
を含む方法。
【請求項２】
ランダムアクセス・プリアンブル・シーケンスを受信する方法であって、
基地局により、ランダムアクセス・プリアンブル・シーケンスxu,v(n)に基づきランダムアクセス・プリアンブル・シーケンス信号を受信するステップであって、xu,v(n)はxu,v(n)=xu((n+Cv)modNZC)を満たし、ルートシーケンス番号がuであるZC(Zadoff−Chu)シーケンスは次式のように定義され：
【数１６】
2019536338.tif 000292
NZCはxu(n)のシーケンス長であり、modはモジュロ演算を表し、Cvは次式を満たし：
【数１７】
2019536338.tif 000293
NCSは整数であり、
【数１８】
2019536338.tif 000294
のとき
【数１９】
2019536338.tif 000295
は以下を満たし：
【数２０】
2019536338.tif 000296
【数２１】
2019536338.tif 000297
のとき
【数２２】
2019536338.tif 000298
は以下を満たし：
【数２３】
2019536338.tif 000299
【数２４】
2019536338.tif 000300
のとき
【数２５】
2019536338.tif 000301
は以下を満たし：
【数２６】
2019536338.tif 000302
又は、
【数２７】
2019536338.tif 000303
のとき
【数２８】
2019536338.tif 000304
は以下を満たし：
【数２９】
2019536338.tif 000305
duは以下を満たし：
【数３０】
2019536338.tif 000306
pは、(p×u)modNZC=１を満たす最小非負整数として定義される、ステップ、
を含む方法。
【請求項３】
通信機器であって、
ランダムアクセス・プリアンブル・シーケンスxu,v(n)を決定するよう構成される処理ユニットであって、xu,v(n)はxu,v(n)=xu((n+Cv)modNZC)を満たし、ルートシーケンス番号がuであるZC(Zadoff−Chu)シーケンスは次式のように定義され：
【数３１】
2019536338.tif 000307
NZCはxu(n)のシーケンス長であり、modはモジュロ演算を表し、Cvは次式を満たし：
【数３２】
2019536338.tif 000308
NCSは整数であり、
【数３３】
2019536338.tif 000309
のとき
【数３４】
2019536338.tif 000310
は以下を満たし：
【数３５】
2019536338.tif 000311
【数３６】
2019536338.tif 000312
のとき
【数３７】
2019536338.tif 000313
は以下を満たし：
【数３８】
2019536338.tif 000314
【数３９】
2019536338.tif 000315
のとき
【数４０】
2019536338.tif 000316
は以下を満たし：
【数４１】
2019536338.tif 000317
又は、
【数４２】
2019536338.tif 000318
のとき
【数４３】
2019536338.tif 000319
は以下を満たし：
【数４４】
2019536338.tif 000320
duは以下を満たし：
【数４５】
2019536338.tif 000321
pは、(p×u)modNZC=１を満たす最小非負整数として定義される、処理ユニットと、
xu,v(n)を送信するよう構成される送信ユニットと、
を含む通信機器。
【請求項４】
アクセスネットワーク装置であって、
ランダムアクセス・プリアンブル・シーケンス信号を受信するよう構成される受信ユニットと、
ランダムアクセス・プリアンブル・シーケンスxu,v(n)に基づき前記ランダムアクセス・プリアンブル・シーケンス信号を処理するよう構成される処理ユニットであって、xu,v(n)はxu,v(n)=xu((n+Cv)modNZC)を満たし、ルートシーケンス番号がuであるZC(Zadoff−Chu)シーケンスは次式のように定義され：
【数４６】
2019536338.tif 000322
NZCはxu(n)のシーケンス長であり、modはモジュロ演算を表し、Cvは次式を満たし：
【数４７】
2019536338.tif 000323
NCSは整数であり、
【数４８】
2019536338.tif 000324
のとき
【数４９】
2019536338.tif 000325
は以下を満たし：
【数５０】
2019536338.tif 000326
【数５１】
2019536338.tif 000327
のとき
【数５２】
2019536338.tif 000328
は以下を満たし：
【数５３】
2019536338.tif 000329
【数５４】
2019536338.tif 000330
のとき
【数５５】
2019536338.tif 000331
は以下を満たし：
【数５６】
2019536338.tif 000332
又は、
【数５７】
2019536338.tif 000333
のとき
【数５８】
2019536338.tif 000334
は以下を満たし：
【数５９】
2019536338.tif 000335
duは以下を満たし：
【数６０】
2019536338.tif 000336
pは、(p×u)modNZC=１を満たす最小非負整数として定義される、処理ユニットと、
を含むアクセスネットワーク装置。
【請求項５】
ランダムアクセス・プリアンブル・シーケンスを送信する方法であって、
端末装置により、ランダムアクセス・プリアンブル・シーケンスxu,v(n)を送信するステップであって、xu,v(n)はxu,v(n)=xu((n+Cv)modNZC)を満たし、ルートシーケンス番号がuであるZC(Zadoff−Chu)シーケンスは次式のように定義され：
【数６１】
2019536338.tif 000337
NZCはxu(n)のシーケンス長であり、modはモジュロ演算を表し、Cvは次式を満たし：
【数６２】
2019536338.tif 000338
NCSは整数であり、
【数６３】
2019536338.tif 000339
のとき
【数６４】
2019536338.tif 000340
は以下を満たし：
【数６５】
2019536338.tif 000341
duは以下を満たし：
【数６６】
2019536338.tif 000342
pは、(p×u)modNZC=１を満たす最小非負整数として定義される、ステップ、
を含む方法。
【請求項６】
ランダムアクセス・プリアンブル・シーケンスを受信する方法であって、
基地局により、ランダムアクセス・プリアンブル・シーケンスxu,v(n)に基づきランダムアクセス・プリアンブル・シーケンス信号を受信するステップであって、xu,v(n)はxu,v(n)=xu((n+Cv)modNZC)を満たし、ルートシーケンス番号がuであるZC(Zadoff−Chu)シーケンスは次式のように定義され：
【数６７】
2019536338.tif 000343
NZCはxu(n)のシーケンス長であり、modはモジュロ演算を表し、Cvは次式を満たし：
【数６８】
2019536338.tif 000344
NCSは整数であり、
【数６９】
2019536338.tif 000345
のとき
【数７０】
2019536338.tif 000346
は以下を満たし：
【数７１】
2019536338.tif 000347
duは以下を満たし：
【数７２】
2019536338.tif 000348
pは、(p×u)modNZC=１を満たす最小非負整数として定義される、ステップ、
を含む方法。
【請求項７】
通信機器であって、
ランダムアクセス・プリアンブル・シーケンスxu,v(n)を決定するよう構成される処理ユニットであって、xu,v(n)はxu,v(n)=xu((n+Cv)modNZC)を満たし、ルートシーケンス番号がuであるZC(Zadoff−Chu)シーケンスは次式のように定義され：
【数７３】
2019536338.tif 000349
NZCはxu(n)のシーケンス長であり、modはモジュロ演算を表し、Cvは次式を満たし：
【数７４】
2019536338.tif 000350
NCSは整数であり、
【数７５】
2019536338.tif 000351
のとき
【数７６】
2019536338.tif 000352
は以下を満たし：
【数７７】
2019536338.tif 000353
duは以下を満たし：
【数７８】
2019536338.tif 000354
pは、(p×u)modNZC=１を満たす最小非負整数として定義される、処理ユニットと、
xu,v(n)を送信するよう構成される送信ユニットと、
を含む通信機器。
【請求項８】
アクセスネットワーク装置であって、
ランダムアクセス・プリアンブル・シーケンス信号を受信するよう構成される受信ユニットと、
ランダムアクセス・プリアンブル・シーケンスxu,v(n)に基づき前記ランダムアクセス・プリアンブル・シーケンス信号を処理するよう構成される処理ユニットであって、xu,v(n)はxu,v(n)=xu((n+Cv)modNZC)を満たし、ルートシーケンス番号がuであるZC(Zadoff−Chu)シーケンスは次式のように定義され：
【数７９】
2019536338.tif 000355
NZCはxu(n)のシーケンス長であり、modはモジュロ演算を表し、Cvは次式を満たし：
【数８０】
2019536338.tif 000356
NCSは整数であり、
【数８１】
2019536338.tif 000357
のとき
【数８２】
2019536338.tif 000358
は以下を満たし：
【数８３】
2019536338.tif 000359
duは以下を満たし：
【数８４】
2019536338.tif 000360
pは、(p×u)modNZC=１を満たす最小非負整数として定義される、処理ユニットと、
を含むアクセスネットワーク装置。
【請求項９】
ランダムアクセス・プリアンブル・シーケンスを送信する方法であって、
端末装置により、ランダムアクセス・プリアンブル・シーケンスxu,v(n)を送信するステップであって、xu,v(n)はxu,v(n)=xu((n+Cv)modNZC)を満たし、ルートシーケンス番号がuであるZC(Zadoff−Chu)シーケンスは次式のように定義され：
【数８５】
2019536338.tif 000361
NZCはxu(n)のシーケンス長であり、modはモジュロ演算を表し、Cvは次式を満たし：
【数８６】
2019536338.tif 000362
NCSは整数であり、
【数８７】
2019536338.tif 000363
のとき
【数８８】
2019536338.tif 000364
は以下を満たし：
【数８９】
2019536338.tif 000365
duは以下を満たし：
【数９０】
2019536338.tif 000366
pは、(p×u)modNZC=１を満たす最小非負整数として定義される、ステップ、
を含む方法。
【請求項１０】
ランダムアクセス・プリアンブル・シーケンスを受信する方法であって、
基地局により、ランダムアクセス・プリアンブル・シーケンスxu,v(n)に基づきランダムアクセス・プリアンブル・シーケンス信号を受信するステップであって、xu,v(n)はxu,v(n)=xu((n+Cv)modNZC)を満たし、ルートシーケンス番号がuであるZC(Zadoff−Chu)シーケンスは次式のように定義され：
【数９１】
2019536338.tif 000367
NZCはxu(n)のシーケンス長であり、modはモジュロ演算を表し、Cvは次式を満たし：
【数９２】
2019536338.tif 000368
NCSは整数であり、
【数９３】
2019536338.tif 000369
のとき
【数９４】
2019536338.tif 000370
は以下を満たし：
【数９５】
2019536338.tif 000371
duは以下を満たし：
【数９６】
2019536338.tif 000372
pは、(p×u)modNZC=１を満たす最小非負整数として定義される、ステップ、
を含む方法。
【請求項１１】
通信機器であって、
ランダムアクセス・プリアンブル・シーケンスxu,v(n)を決定するよう構成される処理ユニットであって、xu,v(n)はxu,v(n)=xu((n+Cv)modNZC)を満たし、ルートシーケンス番号がuであるZC(Zadoff−Chu)シーケンスは次式のように定義され：
【数９７】
2019536338.tif 000373
NZCはxu(n)のシーケンス長であり、modはモジュロ演算を表し、Cvは次式を満たし：
【数９８】
2019536338.tif 000374
NCSは整数であり、
【数９９】
2019536338.tif 000375
のとき
【数１００】
2019536338.tif 000376
は以下を満たし：
【数１０１】
2019536338.tif 000377
duは以下を満たし：
【数１０２】
2019536338.tif 000378
pは、(p×u)modNZC=１を満たす最小非負整数として定義される、処理ユニットと、
xu,v(n)を送信するよう構成される送信ユニットと、
を含む通信機器。
【請求項１２】
アクセスネットワーク装置であって、
ランダムアクセス・プリアンブル・シーケンス信号を受信するよう構成される受信ユニットと、
ランダムアクセス・プリアンブル・シーケンスxu,v(n)に基づき前記ランダムアクセス・プリアンブル・シーケンス信号を処理するよう構成される処理ユニットであって、xu,v(n)はxu,v(n)=xu((n+Cv)modNZC)を満たし、ルートシーケンス番号がuであるZC(Zadoff−Chu)シーケンスは次式のように定義され：
【数１０３】
2019536338.tif 000379
NZCはxu(n)のシーケンス長であり、modはモジュロ演算を表し、Cvは次式を満たし：
【数１０４】
2019536338.tif 000380
NCSは整数であり、
【数１０５】
2019536338.tif 000381
のとき
【数１０６】
2019536338.tif 000382
は以下を満たし：
【数１０７】
2019536338.tif 000383
duは以下を満たし：
【数１０８】
2019536338.tif 000384
pは、(p×u)modNZC=１を満たす最小非負整数として定義される、処理ユニットと、
を含むアクセスネットワーク装置。
【請求項１３】
ランダムアクセス・プリアンブル・シーケンスを送信する方法であって、
端末装置により、ランダムアクセス・プリアンブル・シーケンスxu,v(n)を送信するステップであって、xu,v(n)はxu,v(n)=xu((n+Cv)modNZC)を満たし、ルートシーケンス番号がuであるZC(Zadoff−Chu)シーケンスは次式のように定義され：
【数１０９】
2019536338.tif 000385
NZCはxu(n)のシーケンス長であり、modはモジュロ演算を表し、Cvは次式を満たし：
【数１１０】
2019536338.tif 000386
NCSは整数であり、
【数１１１】
2019536338.tif 000387
のとき
【数１１２】
2019536338.tif 000388
は以下を満たし：
【数１１３】
2019536338.tif 000389
duは以下を満たし：
【数１１４】
2019536338.tif 000390
pは、(p×u)modNZC=１を満たす最小非負整数として定義される、ステップ、
を含む方法。
【請求項１４】
ランダムアクセス・プリアンブル・シーケンスを受信する方法であって、
基地局により、ランダムアクセス・プリアンブル・シーケンスxu,v(n)に基づきランダムアクセス・プリアンブル・シーケンス信号を受信するステップであって、xu,v(n)はxu,v(n)=xu((n+Cv)modNZC)を満たし、ルートシーケンス番号がuであるZC(Zadoff−Chu)シーケンスは次式のように定義され：
【数１１５】
2019536338.tif 000391
NZCはxu(n)のシーケンス長であり、modはモジュロ演算を表し、Cvは次式を満たし：
【数１１６】
2019536338.tif 000392
NCSは整数であり、
【数１１７】
2019536338.tif 000393
のとき
【数１１８】
2019536338.tif 000394
は以下を満たし：
【数１１９】
2019536338.tif 000395
duは以下を満たし：
【数１２０】
2019536338.tif 000396
pは、(p×u)modNZC=１を満たす最小非負整数として定義される、ステップ、
を含む方法。
【請求項１５】
通信機器であって、
ランダムアクセス・プリアンブル・シーケンスxu,v(n)を決定するよう構成される処理ユニットであって、xu,v(n)はxu,v(n)=xu((n+Cv)modNZC)を満たし、ルートシーケンス番号がuであるZC(Zadoff−Chu)シーケンスは次式のように定義され：
【数１２１】
2019536338.tif 000397
NZCはxu(n)のシーケンス長であり、modはモジュロ演算を表し、Cvは次式を満たし：
【数１２２】
2019536338.tif 000398
NCSは整数であり、
【数１２３】
2019536338.tif 000399
のとき
【数１２４】
2019536338.tif 000400
は以下を満たし：
【数１２５】
2019536338.tif 000401
duは以下を満たし：
【数１２６】
2019536338.tif 000402
pは、(p×u)modNZC=１を満たす最小非負整数として定義される、処理ユニットと、
xu,v(n)を送信するよう構成される送信ユニットと、
を含む通信機器。
【請求項１６】
アクセスネットワーク装置であって、
ランダムアクセス・プリアンブル・シーケンス信号を受信するよう構成される受信ユニットと、
ランダムアクセス・プリアンブル・シーケンスxu,v(n)に基づき前記ランダムアクセス・プリアンブル・シーケンス信号を処理するよう構成される処理ユニットであって、xu,v(n)はxu,v(n)=xu((n+Cv)modNZC)を満たし、ルートシーケンス番号がuであるZC(Zadoff−Chu)シーケンスは次式のように定義され：
【数１２７】
2019536338.tif 000403
NZCはxu(n)のシーケンス長であり、modはモジュロ演算を表し、Cvは次式を満たし：
【数１２８】
2019536338.tif 000404
NCSは整数であり、
【数１２９】
2019536338.tif 000405
のとき
【数１３０】
2019536338.tif 000406
は以下を満たし：
【数１３１】
2019536338.tif 000407
duは以下を満たし：
【数１３２】
2019536338.tif 000408
pは、(p×u)modNZC=１を満たす最小非負整数として定義される、処理ユニットと、
を含むアクセスネットワーク装置。
【請求項１７】
ランダムアクセス・プリアンブル・シーケンスを送信する方法であって、
端末装置により、ランダムアクセス・プリアンブル・シーケンスxu,v(n)を送信するステップであって、xu,v(n)はxu,v(n)=xu((n+Cv)modNZC)を満たし、ルートシーケンス番号がuであるZC(Zadoff−Chu)シーケンスは次式のように定義され：
【数１３３】
2019536338.tif 000409
NZCはxu(n)のシーケンス長であり、modはモジュロ演算を表し、Cvは次式を満たし：
【数１３４】
2019536338.tif 000410
NCSは整数であり、
【数１３５】
2019536338.tif 000411
のとき
【数１３６】
2019536338.tif 000412
は以下を満たし：
【数１３７】
2019536338.tif 000413
duは以下を満たし：
【数１３８】
2019536338.tif 000414
pは、(p×u)modNZC=１を満たす最小非負整数として定義される、ステップ、
を含む方法。
【請求項１８】
ランダムアクセス・プリアンブル・シーケンスを受信する方法であって、
基地局により、ランダムアクセス・プリアンブル・シーケンスxu,v(n)に基づきランダムアクセス・プリアンブル・シーケンス信号を受信するステップであって、xu,v(n)はxu,v(n)=xu((n+Cv)modNZC)を満たし、ルートシーケンス番号がuであるZC(Zadoff−Chu)シーケンスは次式のように定義され：
【数１３９】
2019536338.tif 000415
NZCはxu(n)のシーケンス長であり、modはモジュロ演算を表し、Cvは次式を満たし：
【数１４０】
2019536338.tif 000416
NCSは整数であり、
【数１４１】
2019536338.tif 000417
のとき
【数１４２】
2019536338.tif 000418
は以下を満たし：
【数１４３】
2019536338.tif 000419
duは以下を満たし：
【数１４４】
2019536338.tif 000420
pは、(p×u)modNZC=１を満たす最小非負整数として定義される、ステップ、
を含む方法。
【請求項１９】
通信機器であって、
ランダムアクセス・プリアンブル・シーケンスxu,v(n)を決定するよう構成される処理ユニットであって、xu,v(n)はxu,v(n)=xu((n+Cv)modNZC)を満たし、ルートシーケンス番号がuであるZC(Zadoff−Chu)シーケンスは次式のように定義され：
【数１４５】
2019536338.tif 000421
NZCはxu(n)のシーケンス長であり、modはモジュロ演算を表し、Cvは次式を満たし：
【数１４６】
2019536338.tif 000422
NCSは整数であり、
【数１４７】
2019536338.tif 000423
のとき
【数１４８】
2019536338.tif 000424
は以下を満たし：
【数１４９】
2019536338.tif 000425
duは以下を満たし：
【数１５０】
2019536338.tif 000426
pは、(p×u)modNZC=１を満たす最小非負整数として定義される、処理ユニットと、
xu,v(n)を送信するよう構成される送信ユニットと、
を含む通信機器。
【請求項２０】
アクセスネットワーク装置であって、
ランダムアクセス・プリアンブル・シーケンス信号を受信するよう構成される受信ユニットと、
ランダムアクセス・プリアンブル・シーケンスxu,v(n)に基づき前記ランダムアクセス・プリアンブル・シーケンス信号を処理するよう構成される処理ユニットであって、xu,v(n)はxu,v(n)=xu((n+Cv)modNZC)を満たし、ルートシーケンス番号がuであるZC(Zadoff−Chu)シーケンスは次式のように定義され：
【数１５１】
2019536338.tif 000427
NZCはxu(n)のシーケンス長であり、modはモジュロ演算を表し、Cvは次式を満たし：
【数１５２】
2019536338.tif 000428
NCSは整数であり、
【数１５３】
2019536338.tif 000429
のとき
【数１５４】
2019536338.tif 000430
は以下を満たし：
【数１５５】
2019536338.tif 000431
duは以下を満たし：
【数１５６】
2019536338.tif 000432
pは、(p×u)modNZC=１を満たす最小非負整数として定義される、処理ユニットと、
を含むアクセスネットワーク装置。
【請求項２１】
通信システムであって、前記通信システムは、
請求項３に記載の通信機器、及び請求項４に記載のアクセスネットワーク装置、又は、
請求項７に記載の通信機器、及び請求項８に記載のアクセスネットワーク装置、又は、
請求項１１に記載の通信機器、及び請求項１２に記載のアクセスネットワーク装置、又は、
請求項１５に記載の通信機器、及び請求項１６に記載のアクセスネットワーク装置、又は、
請求項１９に記載の通信機器、及び請求項２０に記載のアクセスネットワーク装置、
を含む通信システム。
【発明の詳細な説明】
【技術分野】
【０００１】
本発明は、通信分野に関し、特にランダムアクセス・プリアンブル・シーケンスを送信する方法、装置、及びシステムに関する。
【背景技術】
【０００２】
端末装置が高速移動中に基地局と通信する場合、端末装置が信号を送信する周波数と基地局の受信周波数との間には周波数差がある。該差は、ドップラ周波数シフトfDとして参照され、fD=fv/cであり、fはキャリア周波数であり、vは移動速度であり、cは光速である。ドップラ周波数シフトは、ランダムアクセス中に端末装置間の相互干渉を引き起こし、基地局が端末装置により送信されたランダムアクセス・プリアンブル・シーケンスを検出する検出中に生じる曖昧さ問題も引き起こす。
【０００３】
既存のロングタームエボリューション（LTE、Long  Term  Evolution）システムでは、１回のPRACHサブキャリア間隔より小さいドップラ周波数シフトが特に設計され、それにより、アップリンク・ランダムアクセス中の端末装置間の相互干渉、及び基地局検出中の曖昧さ問題を除去する。LTEシステムがより高い動作周波数で通信を実行するとき、又は端末装置が非常に高い移動速度を有するとき、ドップラ周波数シフトは、１回のPRACHサブキャリア間隔より大きく且つ２回のPRACHサブキャリア間隔より小さくてよい。最適化設計は、LTEリリース１４（release  １４）である程度行われ、それにより、ランダムアクセス中の端末装置間の相互干渉を軽減し、及び基地局検出中の曖昧さ問題を低減している。
【０００４】
しかしながら、LTEシステムがより高い動作周波数で通信を実行するとき、又は端末装置が非常に高い移動速度を有するときの状況では、ドップラ周波数シフトは、１回のPRACHサブキャリア間隔より大きく且つ２回のPRACHサブキャリア間隔より小さくなり得、端末装置間の相互干渉及び基地局検出中の曖昧さ問題が依然として現在のところ存在する。
【発明の概要】
【０００５】
ランダムアクセス・プリアンブル・シーケンスを送信する方法、装置、及びシステムは、高速におけるランダムアクセス処理をサポートし、高速シナリオにおけるランダムアクセス中の端末装置間の相互干渉を回避する。
【０００６】
第１の態様によると、本願の一実施形態は、ランダムアクセス・プリアンブル・シーケンスを送信する方法を提供する。当該方法は、
端末装置により、ランダムアクセス・プリアンブル・シーケンスxu,v(n)を送信するステップであって、xu,v(n)はxu,v(n)=xu((n+Cv)modNZC)を満たし、ルートシーケンス番号がuであるZC(Zadoff−Chu)シーケンスは次式のように定義され：
【数１】
2019536338.tif 000003
NZCはxu(n)のシーケンス長であり、modはモジュロ演算を表し、Cvは次式を満たし：
【数２】
2019536338.tif 000004
NCSは整数であり、
【数３】
2019536338.tif 000005
のとき
【数４】
2019536338.tif 000006
は以下を満たし：
【数５】
2019536338.tif 000007
【数６】
2019536338.tif 000008
のとき
【数７】
2019536338.tif 000009
は以下を満たし：
【数８】
2019536338.tif 000010
【数９】
2019536338.tif 000011
のとき
【数１０】
2019536338.tif 000012
は以下を満たし：
【数１１】
2019536338.tif 000013
又は、
【数１２】
2019536338.tif 000014
のとき
【数１３】
2019536338.tif 000015
は以下を満たし：
【数１４】
2019536338.tif 000016
duは以下を満たし：
【数１５】
2019536338.tif 000017
pは、(p×u)modNZC=１を満たす最小非負整数として定義される、ステップ、を含む。
【０００７】
前述の方法に従い端末装置がランダムアクセス・プリアンブル・シーケンスを送信するとき、ランダムアクセスの成功率が向上できる。
【０００８】
第２の態様によると、本願の一実施形態は、ランダムアクセス・プリアンブル・シーケンスを受信する方法を提供する。当該方法は、
基地局により、ランダムアクセス・プリアンブル・シーケンスxu,v(n)に基づきランダムアクセス・プリアンブル・シーケンス信号を受信するステップであって、xu,v(n)はxu,v(n)=xu((n+Cv)modNZC)を満たし、ルートシーケンス番号がuであるZC(Zadoff−Chu)シーケンスは次式のように定義され：
【数１６】
2019536338.tif 000018
NZCはxu(n)のシーケンス長であり、modはモジュロ演算を表し、Cvは次式を満たし：
【数１７】
2019536338.tif 000019
NCSは整数であり、
【数１８】
2019536338.tif 000020
のとき
【数１９】
2019536338.tif 000021
は以下を満たし：
【数２０】
2019536338.tif 000022
【数２１】
2019536338.tif 000023
のとき
【数２２】
2019536338.tif 000024
は以下を満たし：
【数２３】
2019536338.tif 000025
【数２４】
2019536338.tif 000026
のとき
【数２５】
2019536338.tif 000027
は以下を満たし：
【数２６】
2019536338.tif 000028
又は、
【数２７】
2019536338.tif 000029
のとき
【数２８】
2019536338.tif 000030
は以下を満たし：
【数２９】
2019536338.tif 000031
duは以下を満たし：
【数３０】
2019536338.tif 000032
pは、(p×u)modNZC=１を満たす最小非負整数として定義される、ステップ、を含む。
【０００９】
前述の方法に従い、基地局はランダムアクセス・プリアンブル・シーケンスを受信する。したがって、異なる端末装置がランダムアクセス・プリアンブル・シーケンスを同時に送信し、及び異なる端末のランダムアクセス・プリアンブル・シーケンスが異なるCvに対応するとき、端末装置間の相互干渉が回避でき、それにより、ランダムアクセスの成功率を向上する。
【００１０】
第３の態様によると、本願の一実施形態は、端末装置を提供する。当該端末装置は前述の方法における端末装置の動作を実施する機能を有する。該機能は、ハードウェアにより実装されてよく、又は対応するソフトウェアを実行することによりハードウェアにより実装されてよい。ハードウェア又はソフトウェアは、前述の機能に対応する１つ以上のモジュールを含む。該モジュールは、ソフトウェア及び／又はハードウェアであってよい。
【００１１】
当該端末装置は、
ランダムアクセス・プリアンブル・シーケンスxu,v(n)を決定するよう構成される処理ユニットであって、xu,v(n)はxu,v(n)=xu((n+Cv)modNZC)を満たし、ルートシーケンス番号がuであるZC(Zadoff−Chu)シーケンスは次式のように定義され：
【数３１】
2019536338.tif 000033
NZCはxu(n)のシーケンス長であり、modはモジュロ演算を表し、Cvは次式を満たし：
【数３２】
2019536338.tif 000034
NCSは整数であり、
【数３３】
2019536338.tif 000035
のとき
【数３４】
2019536338.tif 000036
は以下を満たし：
【数３５】
2019536338.tif 000037
【数３６】
2019536338.tif 000038
のとき
【数３７】
2019536338.tif 000039
は以下を満たし：
【数３８】
2019536338.tif 000040
【数３９】
2019536338.tif 000041
のとき
【数４０】
2019536338.tif 000042
は以下を満たし：
【数４１】
2019536338.tif 000043
又は、
【数４２】
2019536338.tif 000044
のとき
【数４３】
2019536338.tif 000045
は以下を満たし：
【数４４】
2019536338.tif 000046
duは以下を満たし：
【数４５】
2019536338.tif 000047
pは、(p×u)modNZC=１を満たす最小非負整数として定義される、処理ユニットと、
xu,v(n)を送信するよう構成される送信ユニットと、を含む。
【００１２】
第４の態様によると、本願の一実施形態は、基地局を提供する。当該基地局は、前述の方法における基地局の動作を実施する機能を有する。該機能は、ハードウェアにより実装されてよく、又は対応するソフトウェアを実行することによりハードウェアにより実装されてよい。ハードウェア又はソフトウェアは、前述の機能に対応する１つ以上のモジュールを含む。
【００１３】
当該基地局は、
ランダムアクセス・プリアンブル・シーケンス信号を受信するよう構成される受信ユニットと、
ランダムアクセス・プリアンブル・シーケンスxu,v(n)に基づき前記ランダムアクセス・プリアンブル・シーケンス信号を処理するよう構成される処理ユニットであって、xu,v(n)はxu,v(n)=xu((n+Cv)modNZC)を満たし、ルートシーケンス番号がuであるZC(Zadoff−Chu)シーケンスは次式のように定義され：
【数４６】
2019536338.tif 000048
NZCはxu(n)のシーケンス長であり、modはモジュロ演算を表し、Cvは次式を満たし：
【数４７】
2019536338.tif 000049
NCSは整数であり、
【数４８】
2019536338.tif 000050
のとき
【数４９】
2019536338.tif 000051
は以下を満たし：
【数５０】
2019536338.tif 000052
【数５１】
2019536338.tif 000053
のとき
【数５２】
2019536338.tif 000054
は以下を満たし：
【数５３】
2019536338.tif 000055
【数５４】
2019536338.tif 000056
のとき
【数５５】
2019536338.tif 000057
は以下を満たし：
【数５６】
2019536338.tif 000058
又は、
【数５７】
2019536338.tif 000059
のとき
【数５８】
2019536338.tif 000060
は以下を満たし：
【数５９】
2019536338.tif 000061
duは以下を満たし：
【数６０】
2019536338.tif 000062
pは、(p×u)modNZC=１を満たす最小非負整数として定義される、処理ユニットと、を含む。
【００１４】
第５の態様によると、本願の一実施形態は、ランダムアクセス・プリアンブル・シーケンスを送信する方法を提供する。当該方法は、
端末装置により、ランダムアクセス・プリアンブル・シーケンスxu,v(n)を送信するステップであって、xu,v(n)はxu,v(n)=xu((n+Cv)modNZC)を満たし、ルートシーケンス番号がuであるZC(Zadoff−Chu)シーケンスは次式のように定義され：
【数６１】
2019536338.tif 000063
NZCはxu(n)のシーケンス長であり、modはモジュロ演算を表し、Cvは次式を満たし：
【数６２】
2019536338.tif 000064
NCSは整数であり、
【数６３】
2019536338.tif 000065
の場合、
【数６４】
2019536338.tif 000066
は以下を満たし：
【数６５】
2019536338.tif 000067
duは以下を満たし：
【数６６】
2019536338.tif 000068
pは、(p×u)modNZC=１を満たす最小非負整数として定義される、ステップ、を含む。
【００１５】
前述の方法の方法に従い、端末装置がランダムアクセス・プリアンブル・シーケンスを送信するとき、ランダムアクセスの成功率が向上できる。
【００１６】
第６の態様によると、本願の一実施形態は、ランダムアクセス・プリアンブル・シーケンスを受信する方法を提供する。当該方法は、
基地局により、ランダムアクセス・プリアンブル・シーケンスxu,v(n)に基づきランダムアクセス・プリアンブル・シーケンス信号を受信するステップであって、xu,v(n)はxu,v(n)=xu((n+Cv)modNZC)を満たし、ルートシーケンス番号がuであるZC(Zadoff−Chu)シーケンスは次式のように定義され：
【数６７】
2019536338.tif 000069
NZCはxu(n)のシーケンス長であり、modはモジュロ演算を表し、Cvは次式を満たし：
【数６８】
2019536338.tif 000070
NCSは整数であり、
【数６９】
2019536338.tif 000071
のとき
【数７０】
2019536338.tif 000072
は以下を満たし：
【数７１】
2019536338.tif 000073
duは以下を満たし：
【数７２】
2019536338.tif 000074
pは、(p×u)modNZC=１を満たす最小非負整数として定義される、ステップ、を含む。
【００１７】
前述の方法に従い、基地局はランダムアクセス・プリアンブル・シーケンスを受信する。したがって、異なる端末装置がランダムアクセス・プリアンブル・シーケンスを同時に送信し、及び異なる端末装置のランダムアクセス・プリアンブル・シーケンスが異なるCvに対応するとき、端末装置間の相互干渉が回避でき、それによりランダムアクセスの成功率を向上する。
【００１８】
第７の態様によると、本願の一実施形態は、端末装置を提供する。当該端末装置は、前述の方法における端末装置の動作を実施する機能を有する。該機能は、ハードウェアにより実装されてよく、又は対応するソフトウェアを実行することによりハードウェアにより実装されてよい。ハードウェア又はソフトウェアは、前述の機能に対応する１つ以上のモジュールを含む。該モジュールは、ソフトウェア及び／又はハードウェアであってよい。
【００１９】
当該端末装置は、
ランダムアクセス・プリアンブル・シーケンスxu,v(n)を決定するよう構成される処理ユニットであって、xu,v(n)はxu,v(n)=xu((n+Cv)modNZC)を満たし、ルートシーケンス番号がuであるZC(Zadoff−Chu)シーケンスは次式のように定義され：
【数７３】
2019536338.tif 000075
NZCはxu(n)のシーケンス長であり、modはモジュロ演算を表し、Cvは次式を満たし：
【数７４】
2019536338.tif 000076
NCSは整数であり、
【数７５】
2019536338.tif 000077
のとき
【数７６】
2019536338.tif 000078
は以下を満たし：
【数７７】
2019536338.tif 000079
duは以下を満たし：
【数７８】
2019536338.tif 000080
pは、(p×u)modNZC=１を満たす最小非負整数として定義される、処理ユニットと、
xu,v(n)を送信するよう構成される送信ユニットと、を含む。
【００２０】
第８の態様によると、本願の一実施形態は、基地局を提供する。当該基地局は、前述の方法における基地局の動作を実施する機能を有する。該機能は、ハードウェアにより実装されてよく、又は対応するソフトウェアを実行することによりハードウェアにより実装されてよい。ハードウェア又はソフトウェアは、前述の機能に対応する１つ以上のモジュールを含む。
【００２１】
当該基地局は、
ランダムアクセス・プリアンブル・シーケンス信号を受信するよう構成される受信ユニットと、
ランダムアクセス・プリアンブル・シーケンスxu,v(n)に基づき前記ランダムアクセス・プリアンブル・シーケンス信号を処理するよう構成される処理ユニットであって、xu,v(n)はxu,v(n)=xu((n+Cv)modNZC)を満たし、ルートシーケンス番号がuであるZC(Zadoff−Chu)シーケンスは次式のように定義され：
【数７９】
2019536338.tif 000081
NZCはxu(n)のシーケンス長であり、modはモジュロ演算を表し、Cvは次式を満たし：
【数８０】
2019536338.tif 000082
NCSは整数であり、
【数８１】
2019536338.tif 000083
のとき
【数８２】
2019536338.tif 000084
は以下を満たし：
【数８３】
2019536338.tif 000085
duは以下を満たし：
【数８４】
2019536338.tif 000086
pは、(p×u)modNZC=１を満たす最小非負整数として定義される、処理ユニットと、を含む。
【００２２】
第９の態様によると、本願の一実施形態は、ランダムアクセス・プリアンブル・シーケンスを送信する方法を提供する。当該方法は、
端末装置により、ランダムアクセス・プリアンブル・シーケンスxu,v(n)を送信するステップであって、xu,v(n)はxu,v(n)=xu((n+Cv)modNZC)を満たし、ルートシーケンス番号がuであるZC(Zadoff−Chu)シーケンスは次式のように定義され：
【数８５】
2019536338.tif 000087
NZCはxu(n)のシーケンス長であり、modはモジュロ演算を表し、Cvは次式を満たし：
【数８６】
2019536338.tif 000088
NCSは整数であり、
【数８７】
2019536338.tif 000089
のとき
【数８８】
2019536338.tif 000090
は以下を満たし：
【数８９】
2019536338.tif 000091
duは以下を満たし：
【数９０】
2019536338.tif 000092
pは、(p×u)modNZC=１を満たす最小非負整数として定義される、ステップ、を含む。
【００２３】
前述の方法に従い、端末装置がランダムアクセス・プリアンブル・シーケンスを送信するとき、ランダムアクセスの成功率が向上できる。
【００２４】
第１０の態様によると、本願の一実施形態は、ランダムアクセス・プリアンブル・シーケンスを受信する方法を提供する。当該方法は、
基地局により、ランダムアクセス・プリアンブル・シーケンスxu,v(n)に基づきランダムアクセス・プリアンブル・シーケンス信号を受信するステップであって、xu,v(n)はxu,v(n)=xu((n+Cv)modNZC)を満たし、ルートシーケンス番号がuであるZC(Zadoff−Chu)シーケンスは次式のように定義され：
【数９１】
2019536338.tif 000093
NZCはxu(n)のシーケンス長であり、modはモジュロ演算を表し、Cvは次式を満たし：
【数９２】
2019536338.tif 000094
NCSは整数であり、
【数９３】
2019536338.tif 000095
のとき
【数９４】
2019536338.tif 000096
は以下を満たし：
【数９５】
2019536338.tif 000097
duは以下を満たし：
【数９６】
2019536338.tif 000098
pは、(p×u)modNZC=１を満たす最小非負整数として定義される、ステップ、を含む。
【００２５】
前述の方法に従い、基地局はランダムアクセス・プリアンブル・シーケンスを受信する。したがって、異なる端末装置がランダムアクセス・プリアンブル・シーケンスを同時に送信し、及び異なる端末装置のランダムアクセス・プリアンブル・シーケンスが異なるCvに対応するとき、端末装置間の相互干渉が回避でき、それによりランダムアクセスの成功率を向上する。
【００２６】
第１１の態様によると、本願の一実施形態は、端末装置を提供する。当該端末装置は、前述の方法における端末装置の動作を実施する機能を有する。該機能は、ハードウェアにより実装されてよく、又は対応するソフトウェアを実行することによりハードウェアにより実装されてよい。ハードウェア又はソフトウェアは、前述の機能に対応する１つ以上のモジュールを含む。該モジュールはソフトウェア及び／又はハードウェアであってよい。
【００２７】
当該端末装置は、
ランダムアクセス・プリアンブル・シーケンスxu,v(n)を決定するよう構成される処理ユニットであって、xu,v(n)はxu,v(n)=xu((n+Cv)modNZC)を満たし、ルートシーケンス番号がuであるZC(Zadoff−Chu)シーケンスは次式のように定義され：
【数９７】
2019536338.tif 000099
NZCはxu(n)のシーケンス長であり、modはモジュロ演算を表し、Cvは次式を満たし：
【数９８】
2019536338.tif 000100
NCSは整数であり、
【数９９】
2019536338.tif 000101
のとき
【数１００】
2019536338.tif 000102
は以下を満たし：
【数１０１】
2019536338.tif 000103
duは以下を満たし：
【数１０２】
2019536338.tif 000104
pは、(p×u)modNZC=１を満たす最小非負整数として定義される、処理ユニットと、
xu,v(n)を送信するよう構成される送信ユニットと、を含む。
【００２８】
第１２の態様によると、本願の一実施形態は、基地局を提供する。当該基地局は、前述の方法における基地局の動作を実施する機能を有する。該機能は、ハードウェアにより実装されてよく、又は対応するソフトウェアを実行することによりハードウェアにより実装されてよい。ハードウェア又はソフトウェアは、前述の機能に対応する１つ以上のモジュールを含む。
【００２９】
当該基地局は、
ランダムアクセス・プリアンブル・シーケンス信号を受信するよう構成される受信ユニットと、
ランダムアクセス・プリアンブル・シーケンスxu,v(n)に基づき前記ランダムアクセス・プリアンブル・シーケンス信号を処理するよう構成される処理ユニットであって、xu,v(n)はxu,v(n)=xu((n+Cv)modNZC)を満たし、ルートシーケンス番号がuであるZC(Zadoff−Chu)シーケンスは次式のように定義され：
【数１０３】
2019536338.tif 000105
NZCはxu(n)のシーケンス長であり、modはモジュロ演算を表し、Cvは次式を満たし：
【数１０４】
2019536338.tif 000106
NCSは整数であり、
【数１０５】
2019536338.tif 000107
のとき
【数１０６】
2019536338.tif 000108
は以下を満たし：
【数１０７】
2019536338.tif 000109
duは以下を満たし：
【数１０８】
2019536338.tif 000110
pは、(p×u)modNZC=１を満たす最小非負整数として定義される、処理ユニットと、を含む。
【００３０】
第１３の態様によると、本願の一実施形態は、ランダムアクセス・プリアンブル・シーケンスを送信する方法を提供する。当該方法は、
端末装置により、ランダムアクセス・プリアンブル・シーケンスxu,v(n)を送信するステップであって、xu,v(n)はxu,v(n)=xu((n+Cv)modNZC)を満たし、ルートシーケンス番号がuであるZC(Zadoff−Chu)シーケンスは次式のように定義され：
【数１０９】
2019536338.tif 000111
NZCはxu(n)のシーケンス長であり、modはモジュロ演算を表し、Cvは次式を満たし：
【数１１０】
2019536338.tif 000112
NCSは整数であり、
【数１１１】
2019536338.tif 000113
のとき
【数１１２】
2019536338.tif 000114
は以下を満たし：
【数１１３】
2019536338.tif 000115
duは以下を満たし：
【数１１４】
2019536338.tif 000116
pは、(p×u)modNZC=１を満たす最小非負整数として定義される、ステップ、を含む。
【００３１】
前述の方法に従い、端末装置がランダムアクセス・プリアンブル・シーケンスを送信するとき、ランダムアクセスの成功率が向上できる。
【００３２】
第１４の態様によると、本願の一実施形態は、ランダムアクセス・プリアンブル・シーケンスを受信する方法を提供する。当該方法は、
基地局により、ランダムアクセス・プリアンブル・シーケンスxu,v(n)に基づきランダムアクセス・プリアンブル・シーケンス信号を受信するステップであって、xu,v(n)はxu,v(n)=xu((n+Cv)modNZC)を満たし、ルートシーケンス番号がuであるZC(Zadoff−Chu)シーケンスは次式のように定義され：
【数１１５】
2019536338.tif 000117
NZCはxu(n)のシーケンス長であり、modはモジュロ演算を表し、Cvは次式を満たし：
【数１１６】
2019536338.tif 000118
NCSは整数であり、
【数１１７】
2019536338.tif 000119
のとき
【数１１８】
2019536338.tif 000120
は以下を満たし：
【数１１９】
2019536338.tif 000121
duは以下を満たし：
【数１２０】
2019536338.tif 000122
pは、(p×u)modNZC=１を満たす最小非負整数として定義される、ステップ、を含む。
【００３３】
前述の方法に従い、基地局はランダムアクセス・プリアンブル・シーケンスを受信する。したがって、異なる端末装置がランダムアクセス・プリアンブル・シーケンスを同時に送信し、及び異なる端末装置のランダムアクセス・プリアンブル・シーケンスが異なるCvに対応するとき、端末装置間の相互干渉が回避でき、それによりランダムアクセスの成功率を向上する。
【００３４】
第１５の態様によると、本願の一実施形態は、端末装置を提供する。当該端末装置は、前述の方法における端末装置の動作を実施する機能を有する。該機能は、ハードウェアにより実装されてよく、又は対応するソフトウェアを実行することによりハードウェアにより実装されてよい。ハードウェア又はソフトウェアは、前述の機能に対応する１つ以上のモジュールを含む。該モジュールは、ソフトウェア及び／又はハードウェアであってよい。
【００３５】
当該端末装置は、
ランダムアクセス・プリアンブル・シーケンスxu,v(n)を決定するよう構成される処理ユニットであって、xu,v(n)はxu,v(n)=xu((n+Cv)modNZC)を満たし、ルートシーケンス番号がuであるZC(Zadoff−Chu)シーケンスは次式のように定義され：
【数１２１】
2019536338.tif 000123
NZCはxu(n)のシーケンス長であり、modはモジュロ演算を表し、Cvは次式を満たし：
【数１２２】
2019536338.tif 000124
NCSは整数であり、
【数１２３】
2019536338.tif 000125
のとき
【数１２４】
2019536338.tif 000126
は以下を満たし：
【数１２５】
2019536338.tif 000127
duは以下を満たし：
【数１２６】
2019536338.tif 000128
pは、(p×u)modNZC=１を満たす最小非負整数として定義される、処理ユニットと、
xu,v(n)を送信するよう構成される送信ユニットと、を含む。
【００３６】
第１６の態様によると、本願の一実施形態は、基地局を提供する。当該基地局は、前述の方法における基地局の動作を実施する機能を有する。該機能は、ハードウェアにより実装されてよく、又は対応するソフトウェアを実行することによりハードウェアにより実装されてよい。ハードウェア又はソフトウェアは、前述の機能に対応する１つ以上のモジュールを含む。
【００３７】
当該基地局は、
ランダムアクセス・プリアンブル・シーケンス信号を受信するよう構成される受信ユニットと、
ランダムアクセス・プリアンブル・シーケンスxu,v(n)に基づき前記ランダムアクセス・プリアンブル・シーケンス信号を処理するよう構成される処理ユニットであって、xu,v(n)はxu,v(n)=xu((n+Cv)modNZC)を満たし、ルートシーケンス番号がuであるZC(Zadoff−Chu)シーケンスは次式のように定義され：
【数１２７】
2019536338.tif 000129
NZCはxu(n)のシーケンス長であり、modはモジュロ演算を表し、Cvは次式を満たし：
【数１２８】
2019536338.tif 000130
NCSは整数であり、
【数１２９】
2019536338.tif 000131
のとき
【数１３０】
2019536338.tif 000132
は以下を満たし：
【数１３１】
2019536338.tif 000133
duは以下を満たし：
【数１３２】
2019536338.tif 000134
pは、(p×u)modNZC=１を満たす最小非負整数として定義される、処理ユニットと、を含む。
【００３８】
第１７の態様によると、本願の一実施形態は、ランダムアクセス・プリアンブル・シーケンスを送信する方法を提供する。当該方法は、
端末装置により、ランダムアクセス・プリアンブル・シーケンスxu,v(n)を送信するステップであって、xu,v(n)はxu,v(n)=xu((n+Cv)modNZC)を満たし、ルートシーケンス番号がuであるZC(Zadoff−Chu)シーケンスは次式のように定義され：
【数１３３】
2019536338.tif 000135
NZCはxu(n)のシーケンス長であり、modはモジュロ演算を表し、Cvは次式を満たし：
【数１３４】
2019536338.tif 000136
NCSは整数であり、
【数１３５】
2019536338.tif 000137
のとき
【数１３６】
2019536338.tif 000138
は以下を満たし：
【数１３７】
2019536338.tif 000139
duは以下を満たし：
【数１３８】
2019536338.tif 000140
pは、(p×u)modNZC=１を満たす最小非負整数として定義される、ステップ、を含む。
【００３９】
前述の方法に従い、端末装置がランダムアクセス・プリアンブル・シーケンスを送信するとき、ランダムアクセスの成功率が向上できる。
【００４０】
第１８の態様によると、本願の一実施形態は、ランダムアクセス・プリアンブル・シーケンスを受信する方法を提供する。当該方法は、
基地局により、ランダムアクセス・プリアンブル・シーケンスxu,v(n)に基づきランダムアクセス・プリアンブル・シーケンス信号を受信するステップであって、xu,v(n)はxu,v(n)=xu((n+Cv)modNZC)を満たし、ルートシーケンス番号がuであるZC(Zadoff−Chu)シーケンスは次式のように定義され：
【数１３９】
2019536338.tif 000141
NZCはxu(n)のシーケンス長であり、modはモジュロ演算を表し、Cvは次式を満たし：
【数１４０】
2019536338.tif 000142
NCSは整数であり、
【数１４１】
2019536338.tif 000143
のとき
【数１４２】
2019536338.tif 000144
は以下を満たし：
【数１４３】
2019536338.tif 000145
duは以下を満たし：
【数１４４】
2019536338.tif 000146
pは、(p×u)modNZC=１を満たす最小非負整数として定義される、ステップ、を含む。
【００４１】
前述の方法に従い、基地局はランダムアクセス・プリアンブル・シーケンスを受信する。したがって、異なる端末装置がランダムアクセス・プリアンブル・シーケンスを同時に送信し、及び異なる端末装置のランダムアクセス・プリアンブル・シーケンスが異なるCvに対応するとき、端末装置間の相互干渉が回避でき、それによりランダムアクセスの成功率を向上する。
【００４２】
第１９の態様によると、本願の一実施形態は、端末装置を提供する。当該端末装置は、前述の方法における端末装置の動作を実施する機能を有する。該機能は、ハードウェアにより実装されてよく、又は対応するソフトウェアを実行することによりハードウェアにより実装されてよい。ハードウェア又はソフトウェアは、前述の機能に対応する１つ以上のモジュールを含む。該モジュールはソフトウェア及び／又はハードウェアであってよい。
【００４３】
当該端末は、
ランダムアクセス・プリアンブル・シーケンスxu,v(n)を決定するよう構成される処理ユニットであって、xu,v(n)はxu,v(n)=xu((n+Cv)modNZC)を満たし、ルートシーケンス番号がuであるZC(Zadoff−Chu)シーケンスは次式のように定義され：
【数１４５】
2019536338.tif 000147
NZCはxu(n)のシーケンス長であり、modはモジュロ演算を表し、Cvは次式を満たし：
【数１４６】
2019536338.tif 000148
NCSは整数であり、
【数１４７】
2019536338.tif 000149
のとき
【数１４８】
2019536338.tif 000150
は以下を満たし：
【数１４９】
2019536338.tif 000151
duは以下を満たし：
【数１５０】
2019536338.tif 000152
pは、(p×u)modNZC=１を満たす最小非負整数として定義される、処理ユニットと、
xu,v(n)を送信するよう構成される送信ユニットと、を含む。
【００４４】
第２０の態様によると、本願の一実施形態は、基地局を提供する。当該基地局は、前述の方法における基地局の動作を実施する機能を有する。該機能は、ハードウェアにより実装されてよく、又は対応するソフトウェアを実行することによりハードウェアにより実装されてよい。ハードウェア又はソフトウェアは、前述の機能に対応する１つ以上のモジュールを含む。
【００４５】
当該基地局は、
ランダムアクセス・プリアンブル・シーケンス信号を受信するよう構成される受信ユニットと、
ランダムアクセス・プリアンブル・シーケンスxu,v(n)に基づき前記ランダムアクセス・プリアンブル・シーケンス信号を処理するよう構成される処理ユニットであって、xu,v(n)はxu,v(n)=xu((n+Cv)modNZC)を満たし、ルートシーケンス番号がuであるZC(Zadoff−Chu)シーケンスは次式のように定義され：
【数１５１】
2019536338.tif 000153
NZCはxu(n)のシーケンス長であり、modはモジュロ演算を表し、Cvは次式を満たし：
【数１５２】
2019536338.tif 000154
NCSは整数であり、
【数１５３】
2019536338.tif 000155
のとき
【数１５４】
2019536338.tif 000156
は以下を満たし：
【数１５５】
2019536338.tif 000157
duは以下を満たし：
【数１５６】
2019536338.tif 000158
pは、(p×u)modNZC=１を満たす最小非負整数として定義される、処理ユニットと、を含む。
【００４６】
第３の態様、第４の態様、第７の態様、第８の態様、第１０の態様、第１２の態様、第１５の態様、第１６の態様、第１９の態様、及び第２０の態様では、送信ユニットは送信機であってよく、受信ユニットは受信機であってよく、並びに処理ユニットはプロセッサであってよい。
【００４７】
本発明の一実施形態は、システムを更に提供する。システムは、前述の実施形態における端末装置及び基地局を含む。
【００４８】
従来と比べて、端末装置がアップリンク・ランダムアクセスを実行するとき、本願において提供されるソリューションを用いて、ドップラ周波数シフトの影響に起因して引き起こされる相互干渉が回避できる。基地局が受信したランダムアクセス・プリアンブル・シーケンスを検出するとき、本願において提供されるソリューションを用いて検出中の曖昧さ問題が回避できる。このように、本願において提供されるソリューションは、ランダムアクセスの成功率を向上し及びランダムアクセス時間を短縮できる。
【図面の簡単な説明】
【００４９】
【図１】本発明の一実施形態による通信システムの概略図である。
【００５０】
【図２Ａ】u=２２０且つNCS=１５のとき、従来技術に従い得られる端末装置循環シフトの概略図である。
【００５１】
【図２Ｂ】u=２２０且つNCS=１５のとき、本発明の一実施形態に従い得られる端末装置循環シフトの概略図である。
【００５２】
【図３】本発明の一実施形態によるランダムアクセス・プリアンブル・シーケンスを送信する方法の概略フローチャートである。
【００５３】
【図４】本発明の一実施形態による端末装置の概略ブロック図である。
【００５４】
【図５】本発明の一実施形態による基地局の概略ブロック図である。
【００５５】
【図６】本発明の別の実施形態による端末装置の概略ブロック図である。
【００５６】
【図７】本発明の別の実施形態による基地局の概略ブロック図である。
【発明を実施するための形態】
【００５７】
本発明の実施形態において記載されるネットワークアーキテクチャ及びサービスシナリオは、本発明の実施形態における技術的ソリューションをより明確に記載することを意図し、本発明の実施形態において提供される技術的ソリューションに対する限定を構成しない。当業者は、ネットワークアーキテクチャの進化及び新しいサービスシナリオの出現により、本発明の実施形態において提供される技術的ソリューションが同様の技術的問題にも適用可能であることが分かる。
【００５８】
理解されるべきことに、本発明の実施形態における技術的ソリューションは、種々の通信システム、例えばロングタームエボリューション（Long  Term  Evolution、LTE）システム、LTE周波数分割複信（frequency  division  duplex、FDD）システム、及びLTE時分割複信（time  division  duplex、TDD）通信システムに適用されてよい。
【００５９】
また理解されるべきことに、本発明の実施形態では、端末装置（terminal  equipment）は、端末（terminal）、ユーザ機器（user  equipment、UE）、移動局（mobile  station、MS）、モバイル端末（mobile  terminal）、ラップトップコンピュータ、等として参照されてよい。端末装置は、無線アクセスネットワーク（radio  access  network、RAN）を用いて１つ以上のコアネットワークと通信してよい。例えば、端末装置は、携帯電話機（「セルラ」フォンとしても参照される）、又はモバイル端末を備えるコンピュータであってよい。例えば、無線端末は、無線アクセスネットワークと音声及び／又はデータを交換するポータブルな、ポケットサイズの、ハンドヘルドの、コンピュータ内蔵又は車載モバイル機器であってもよい。
【００６０】
本発明の実施形態では、基地局は、LTEシステムにおける進化型NodeB（evolved  NodeB、略称：「eNB」又は「e−NodeB」）又は別の基地局、又は中継器（relay）のようなアクセスネットワーク装置であってよい。これは、本発明において限定されない。
【００６１】
本発明の一実施形態は、端末装置のアップリンク・ランダムアクセス性能を向上するために、例えばランダムアクセスの成功率を向上し及びランダムアクセス時間を短縮するために、図１に示す通信システムに基づくソリューションを提供する。本発明の本実施形態は、通信システム１００を提供する。通信システム１００は、少なくとも１つの基地局及び複数の端末装置を含む。複数の端末装置は基地局と通信する。図１を一例として用いると、基地局２０は端末装置１０と通信する。ダウンリンクで、基地局は、少なくとも共通チャネル及びダウンリンク・サービスチャネルを用いて、端末装置と通信する。アップリンクで、端末装置は、アップリンク・ランダムアクセスチャネル、アップリンク制御チャネル、及びアップリンク・サービスチャネルを用いて、基地局と通信する。ダウンリンクは、基地局が端末装置へデータを送信する方向であり、アップリンクは、端末装置が基地局へデータを送信する方向である。
【００６２】
アップリンク同期を実施するために、端末装置は、ランダムアクセス・プリアンブル・シーケンスを物理ランダムアクセスチャネル（Physical  random  access  channel、略称：PRACH）で送信する。基地局は、端末装置により送信されたランダムアクセス・プリアンブル・シーケンスを検出することにより、端末装置を識別し及び端末装置の送信タイミングを取得する。端末装置により送信されたランダムアクセス・プリアンブル・シーケンスは、ランダムアクセス・プリアンブル・シーケンス・セットからランダムに選択されたランダムアクセス・プリアンブル・シーケンスであり、或いは、基地局は使用されるべき特定のランダムアクセス・プリアンブル・シーケンスを端末装置に通知する。ランダムアクセス・プリアンブル・シーケンスは、１つ以上のZadoff−Chuシーケンスに対して循環シフトを実行することにより得られる。端末装置によりランダムに選択されたランダムアクセス・プリアンブル・シーケンスでは、該シーケンスは基地局に知られていないので、基地局は、検出方法を用いて、ランダムアクセス・プリアンブル・シーケンス・セット内の各ランダムアクセス・プリアンブル・シーケンス及び端末装置により送信された受信したランダムアクセス・プリアンブル・シーケンスを検出し、端末装置により送信されたランダムアクセス・プリアンブル・シーケンスを決定する。
【００６３】
高速シナリオでは、ドップラ周波数シフトが１回のPRACHサブキャリア間隔より大きく且つ２回のPRACHサブキャリア間隔より小さいとき、基地局の受信中に、ルートシーケンス番号がuであるランダムアクセス・プリアンブル・シーケンスxu(n)について、ピーク値が５個のシフト位置：−du、−２du、０、du、２du、において生成されてよい。
【００６４】
duは以下を満たす：
【数１５７】
2019536338.tif 000159
【００６５】
pは（p×u）modNZC=１を満たす最小非負整数として定義される。ルートシーケンス番号がuであるZC（Zadoff−Chu）シーケンスは、以下のように定義される：
【数１５８】
2019536338.tif 000160
NZCはxu(n)のシーケンス長であり、modはモジュロ演算を表す。
【００６６】
LTEリリース（release）１４に関する議論では、R１−１６０９３４９提案の中で、複数の端末装置間の相互干渉を回避するために、以下の設計が提供される。
【００６７】
ランダムアクセス・プリアンブル・シーケンスを送信するとき、端末装置は、式xu,v(n)=xu((n+Cv)modNZC)に基づき、ランダムアクセス・プリアンブル・シーケンスを取得する。ルートシーケンス番号がuであるZC（Zadoff−Chu）シーケンスは、以下のように定義される：
【数１５９】
2019536338.tif 000161
NZCはxu(n)のシーケンス長であり、端末装置はシフトシーケンス番号vを０から
【数１６０】
2019536338.tif 000162
までの範囲内から選択する。ここで、vと循環シフト値Cvとの間の関係は以下を満たす：
【数１６１】
2019536338.tif 000163
【００６８】
つまり、
【数１６２】
2019536338.tif 000164
のとき、循環シフト値Cvは以下を満たす：
【数１６３】
2019536338.tif 000165
【００６９】
【数１６４】
2019536338.tif 000166
のとき、循環シフト値Cvは次式を満たす：
【数１６５】
2019536338.tif 000167
【００７０】
【数１６６】
2019536338.tif 000168
のとき、循環シフト値Cvは以下を満たす：
【数１６７】
2019536338.tif 000169
【００７１】
【数１６８】
2019536338.tif 000170
のとき、
【数１６９】
2019536338.tif 000171
は次式を満たす：
【数１７０】
2019536338.tif 000172
【００７２】
【数１７１】
2019536338.tif 000173
のとき、
【数１７２】
2019536338.tif 000174
は次式を満たす：
【数１７３】
2019536338.tif 000175
【００７３】
【数１７４】
2019536338.tif 000176
のとき、
【数１７５】
2019536338.tif 000177
は次式を満たす：
【数１７６】
2019536338.tif 000178
【００７４】
【数１７７】
2019536338.tif 000179
のとき、
【数１７８】
2019536338.tif 000180
は次式を満たす：
【数１７９】
2019536338.tif 000181
【００７５】
【数１８０】
2019536338.tif 000182
のとき、
【数１８１】
2019536338.tif 000183
は次式を満たす：
【数１８２】
2019536338.tif 000184
【００７６】
【数１８３】
2019536338.tif 000185
のとき、
【数１８４】
2019536338.tif 000186
は次式を満たす：
【数１８５】
2019536338.tif 000187
【００７７】
端末装置は、ランダムアクセス・プリアンブル・シーケンス・セットから１つのランダムアクセス・プリアンブル・シーケンスを選択し、ランダムアクセス・プリアンブル・シーケンスを基地局へ送信する。基地局は、同じ方法を用いてランダムアクセス・プリアンブル・シーケンスを生成する。ランダムアクセス・プリアンブル・シーケンス・セット内の全てのシーケンス及び受信したランダムアクセス・プリアンブル・シーケンスは、検出方法を用いて検出される。
【００７８】
Cvが以下の条件１又は条件２を満たすとき、端末装置間の相互干渉が引き起こされ、結果として、ランダムアクセス性能が低下する。
【００７９】
条件１：
【数１８６】
2019536338.tif 000188
のとき、循環シフト値Cvが次式を満たす：
【数１８７】
2019536338.tif 000189
【００８０】
条件２：
【数１８８】
2019536338.tif 000190
のとき、循環シフト値Cvは次式を満たす：
【数１８９】
2019536338.tif 000191
【００８１】
例えば、ランダムアクセス・プリアンブル・シーケンスのパラメータはu=２２０及びNCS=１５である。図２Ａに示すように、条件１を満たす循環シフト値はCv=０，１５，３０，４５，１２１，１３６，３７５，３９０であり、この場合、du=２２５である。基地局が、循環シフト値が０であるランダムアクセス・プリアンブル・シーケンスを検出するとき、ピーク値は、循環シフト値３８９，６１４，０，２２５，又は４５０から開始する１５個のシフト値の位置で生じてよい。基地局が、循環シフト値が３９０であるランダムアクセス・プリアンブル・シーケンスを検出するとき、ピーク値は、循環シフト値７７９，１６５，３９０，６１５，又は１から開始する１５個のシフト値の位置で生じてよい。基地局は、どのランダムアクセス・プリアンブル・シーケンスが、３９０から開始する１４個のシフト値で生じるピーク値を生成するかを知ることができない。したがって、基地局の検出中の曖昧さ、及び端末装置間の相互干渉が引き起こされる。端末装置間の相互干渉について複数の場合（case）がある。他の場合は、u=２２０及びN=１５である例と同様であり、再び詳述されない。
【００８２】
前述の方法は、本発明の実装中に向上される。前述の問題を克服するために、
【数１９０】
2019536338.tif 000192
は次式に変更され：
【数１９１】
2019536338.tif 000193
並びに
【数１９２】
2019536338.tif 000194
は次式に変更される：
【数１９３】
2019536338.tif 000195
本発明の実装は以下に詳細に提供される。
【００８３】
本発明の一実施形態は、ランダムアクセス・プリアンブル・シーケンスを送信する方法を提供する。図３は、本発明の一実施形態によるランダムアクセス・プリアンブル・シーケンスを送信する方法の概略図である。図３の基地局は、図１の基地局２０であってよい。図３の端末装置は、図１の端末装置１０、つまり端末装置１０Ａ又は端末装置１０Ｂであってよい。図３に示すように、方法は以下のステップを含む。
【００８４】
ステップ３０１。基地局は、指示情報を端末装置へ送信する。指示情報は、以下の２種類の指示情報：Ncsインデックス及び論理ルートシーケンス番号、のうちの任意の１つ又は２つを含んでよい。
【００８５】
ステップ３０１は任意的ステップである。
【００８６】
任意で、指示情報は、端末装置がランダムアクセス・プリアンブル・シーケンスを取得するときに使用されるNcsインデックスを示すために使用される。指示情報は、シグナリングzeroCorrelationZoneConfig−r１４を用いて、使用されるNcsインデックスを示す。Ncsインデックスの値範囲は０〜１２である。NcsインデックスとNcs値との間のマッピング関係は、表１、表２、又は表３に示される。表１を一例として用いると、基地局の通知シグナリングの中のNcsインデックスが６である場合、目標Ncs値は４６である。
表１  Ncsインデックス及びNcsのマッピング表
【表１】
2019536338.tif 000196
【００８７】
表２を一例として用いると、基地局の通知シグナリングの中の目標Ncsインデックスが１２である場合、目標Ncs値は１３７である。
表２  Ncsインデックス及びNcsのマッピング表
【表２】
2019536338.tif 000197
【００８８】
表３を一例として用いると、基地局の通知シグナリングの中で伝達されるNcsインデックスが１１である場合、Ncsは１１８である。
表３  Ncsインデックス及びNcsのマッピング表
【表３】
2019536338.tif 000198
【００８９】
任意で、指示情報は、ランダムアクセス・プリアンブル・シーケンスの開始論理ルートシーケンス番号を取得するよう指示するために使用される。
【００９０】
任意で、通知シグナリングは、シグナリングrootSequenceIndex−r１４を用いて、端末装置により使用される論理ルートシーケンス番号を示す。論理ルートシーケンス番号（rootSequenceIndex−r１４）と物理ルートシーケンス番号uとの間には１対１マッピング関係がある。例えば、論理ルートシーケンス番号０は物理ルートシーケンス番号u=１２９に対応し、論理ルートシーケンス番号８３７は物理ルートシーケンス番号u=６１０に対応する。
【００９１】
ステップ３０２。端末装置は、ランダムアクセス・プリアンブル・シーケンスを送信する。
【００９２】
ステップ３０２で、端末装置は、ランダムアクセス・プリアンブル・シーケンスxu,v(n)を送信する。
【００９３】
本発明の本実施形態では、maxは最大値が選択されることを表し、例えばmax(０,１)=１及びmax(４,５)=５である。minは最小値が選択されることを表し、例えばmin(０,１)=０及びmin(４,５)=４である。
【数１９４】
2019536338.tif 000199
はYを最も近い整数に切り捨てることを表す。つまり、Yが２．５に等しい場合、
【数１９５】
2019536338.tif 000200
は２に等しい。例えば、
【数１９６】
2019536338.tif 000201
はv/nRAshiftを最も近い整数に切り捨てることを表す。modはモジュロ演算を表し、例えば４mod２=０及び５mod２=１である。
【００９４】
任意で、端末装置は、基地局の指示情報に基づき、NCS値及び物理ルートシーケンス番号を取得する。端末装置は、NCS値及び物理ルートシーケンス番号に基づき、xu,v(n)を決定する。
【００９５】
xu,v(n)=xu((n+Cv)modNZC)。ルートシーケンス番号がuであるZC（Zadoff−Chu）シーケンスは、以下のように定義される：
【数１９７】
2019536338.tif 000202
NZCはxu(n)のシーケンス長であり、端末装置は、シフトシーケンス番号vを０から
【数１９８】
2019536338.tif 000203
までの範囲内から選択する。vと循環シフト値Cvとの間の関係は以下を満たす：
【数１９９】
2019536338.tif 000204
【００９６】
これは、
【数２００】
2019536338.tif 000205
のとき、循環シフト値Cvが式（１）を満たすことと等価である：
【数２０１】
2019536338.tif 000206
【００９７】
【数２０２】
2019536338.tif 000207
のとき、循環シフト値Cvは式（２）を満たす：
【数２０３】
2019536338.tif 000208
【００９８】
【数２０４】
2019536338.tif 000209
のとき、循環シフト値Cvは式（３）を満たす：
【数２０５】
2019536338.tif 000210
ここで、NCSは整数である。
【００９９】
pは（p×u）modNZC=１を満たす最小非負整数として定義される。
【０１００】
duは次式を満たす：
【数２０６】
2019536338.tif 000211
【０１０１】
xu,v(n)は異なる実装を有する。
【０１０２】
実装１：
【０１０３】
【数２０７】
2019536338.tif 000212
のとき、
【数２０８】
2019536338.tif 000213
は式（４）〜（１１）を満たす：
【数２０９】
2019536338.tif 000214
【０１０４】
実装２：
【０１０５】
【数２１０】
2019536338.tif 000215
のとき、
【数２１１】
2019536338.tif 000216
は式（１２）〜（１９）を満たす：
【数２１２】
2019536338.tif 000217
【０１０６】
実装３：
【０１０７】
【数２１３】
2019536338.tif 000218
のとき、
【数２１４】
2019536338.tif 000219
は式（２０）〜（２７）を満たす：
【数２１５】
2019536338.tif 000220
【０１０８】
実装４：
【０１０９】
【数２１６】
2019536338.tif 000221
のとき、
【数２１７】
2019536338.tif 000222
は式（２８）〜（３５）を満たす：
【数２１８】
2019536338.tif 000223
【０１１０】
端末装置が前述の方法に従いランダムアクセス・プリアンブル・シーケンスを送信するとき、ランダムアクセスの成功率が向上できる。
【０１１１】
実装１〜実装４では、端末装置は、実装１〜実装４のうちの任意の１つのみを実施してよい。代替として、端末装置は、実装１〜実装４の任意の組み合わせを実施してよい。例えば、端末装置は実装１のみを実施する。端末装置がxu,v(n)を送信するとき、xu,v(n)に対応する次式：
【数２１９】
2019536338.tif 000224
は式（４）〜（１１）を満たす。代替として、端末装置は、実装１〜実装４を実施する。
【０１１２】
ステップ３０３。基地局は、受信したランダムアクセス・プリアンブル・シーケンス信号を検出する。
【０１１３】
ステップ３０３で、基地局は、端末装置により送信された受信したランダムアクセス・プリアンブル・シーケンス信号を検出する。先ず、基地局は、端末装置により送信されたランダムアクセス・プリアンブル・シーケンス信号を受信し、次に、xu,v(n)に基づき受信したランダムアクセス・プリアンブル・シーケンス信号を検出する。xu,v(n)の表現及び説明については、ステップ３０２を参照する。詳細は、再び記載されない。
【０１１４】
基地局は、受信したランダムアクセス・プリアンブル・シーケンス信号を以下の任意的方法で検出してよい。
【０１１５】
任意で、基地局は、シフトシーケンス番号vを０から
【数２２０】
2019536338.tif 000225
までの範囲内で連続的に選択し及びトラバースして、対応するxu,v=xu((n+Cv)modNZC)を取得する。基地局は、各々の取得したxu,v(n)に基づき、受信したランダムアクセス・プリアンブル・シーケンス信号を検出する。任意で、基地局は、取得したxu,v(n)に基づき、端末装置により送信されたランダムアクセス・プリアンブル・シーケンスに対して関連する検出を実行する。関連する検出は時間ドメインにおいて実行されてよく、又は、検出は、時間ドメインに関連する検出方法に対応する周波数ドメイン検出方法に基づき、周波数ドメインにおいて実行されてよい。
【０１１６】
ステップ３０２において実装１〜実装４では、基地局装置は、実装１〜実装４のうちの任意の１つのみを実施してよい。代替として、基地局装置は、実装１〜実装４の任意の組み合わせを実施してよい。例えば、基地局は実装１のみを実施する。xu,v(n)に対応する次式：
【数２２１】
2019536338.tif 000226
は、式（４）〜（１１）を満たす。代替として、基地局は、実装１〜実装４を実施する。
【０１１７】
基地局は、受信したランダムアクセス・プリアンブル・シーケンス信号を検出する。したがって、異なる端末装置がランダムアクセス・プリアンブル・シーケンスを同時に送信し、及び異なる端末装置のランダムアクセス・プリアンブル・シーケンスが異なるCvに対応するとき、端末装置間の相互干渉が回避でき、それによりランダムアクセスの成功率を向上する。
【０１１８】
本発明の実施形態の方法は、図３を参照して以上に詳述された。本発明の実施形態の端末装置及び基地局は、図４及び図５を参照して以下に詳述される。
【０１１９】
図４に示すように、本発明の一実施形態は、図１に示す端末装置１０を提供する。端末装置１０は、端末装置１０Ａ又は端末装置１０Ｂであってよく、
ランダムアクセス・プリアンブル・シーケンスxu,v(n)を決定するよう構成される処理ユニット４０１であって、xu,v(n)はxu,v(n)=xu((n+Cv)modNZC)を満たし、ルートシーケンス番号がuであるZC（Zadoff−Chu）シーケンスは以下のように定義され：
【数２２２】
2019536338.tif 000227
NZCはxu(n)のシーケンス長であり、modはモジュロ演算を表し、Cvは以下を満たし：
【数２２３】
2019536338.tif 000228
ここで、NCSは整数であり、
【数２２４】
2019536338.tif 000229
のとき
【数２２５】
2019536338.tif 000230
は以下を満たし：
【数２２６】
2019536338.tif 000231
【数２２７】
2019536338.tif 000232
のとき
【数２２８】
2019536338.tif 000233
は以下を満たし：
【数２２９】
2019536338.tif 000234
【数２３０】
2019536338.tif 000235
のとき
【数２３１】
2019536338.tif 000236
は以下を満たし：
【数２３２】
2019536338.tif 000237
又は
【数２３３】
2019536338.tif 000238
のとき
【数２３４】
2019536338.tif 000239
は以下を満たし：
【数２３５】
2019536338.tif 000240
ここで、duは以下を満たし：
【数２３６】
2019536338.tif 000241
pは（p×u）modNZC=１を満たす最小非負整数として定義される、処理ユニット４０１と、
xu,v(n)を送信するよう構成される送信ユニット４０２と、を含む。
【０１２０】
【数２３７】
2019536338.tif 000242
のとき、本発明の実施中に、
【数２３８】
2019536338.tif 000243
且つ
【数２３９】
2019536338.tif 000244
のとき、以下の通りである：
【数２４０】
2019536338.tif 000245
【０１２１】
【数２４１】
2019536338.tif 000246
且つ
【数２４２】
2019536338.tif 000247
のとき、以下の通りである：
【数２４３】
2019536338.tif 000248
【０１２２】
【数２４４】
2019536338.tif 000249
且つ
【数２４５】
2019536338.tif 000250
のとき、以下の通りである：
【数２４６】
2019536338.tif 000251
【０１２３】
端末装置がランダムアクセスを実行するとき、高速移動環境におけるランダムアクセスの成功率が向上できる。
【０１２４】
（ステップ３０２において実装１に対応する）
【数２４７】
2019536338.tif 000252
、（ステップ３０２において実装２に対応する）
【数２４８】
2019536338.tif 000253
、（ステップ３０２において実装３に対応する）
【数２４９】
2019536338.tif 000254
、（ステップ３０２において実装４に対応する）
【数２５０】
2019536338.tif 000255
の４つの実装について、処理ユニット４０１は、実装１〜実装４のうちの任意の１つのみを実施するよう構成されてよい。代替として、処理ユニット４０１は、実装１〜実装４の任意の組み合わせに基づき処理を実行してよい。例えば、処理ユニット４０１は実装１のみを実施する。処理ユニット４０１がxu,v(n)を決定するとき、xu,v(n)に対応する次式：
【数２５１】
2019536338.tif 000256
は式（４）〜（１１）を満たす。代替として、処理ユニット４０１は、実装１〜実装４を実施する。
【０１２５】
図５に示すように、本発明の一実施形態は、図１に示す基地局２０を提供する。基地局２０は、
ランダムアクセス・プリアンブル・シーケンス信号を受信するよう構成される受信ユニット５０１と、
ランダムアクセス・プリアンブル・シーケンスxu,v(n)に基づき受信したランダムアクセス・プリアンブル・シーケンス信号を処理するよう構成される処理ユニット５０２であって、xu,v(n)はxu,v(n)=xu((n+Cv)modNZC)を満たし、ルートシーケンス番号がuであるZC（Zadoff−Chu）シーケンスは以下のように定義され：
【数２５２】
2019536338.tif 000257
NZCはxu(n)のシーケンス長であり、modはモジュロ演算を表し、Cvは以下を満たし：
【数２５３】
2019536338.tif 000258
ここで、NCSは整数であり、
【数２５４】
2019536338.tif 000259
のとき
【数２５５】
2019536338.tif 000260
は以下を満たし：
【数２５６】
2019536338.tif 000261
【数２５７】
2019536338.tif 000262
のとき
【数２５８】
2019536338.tif 000263
は以下を満たし：
【数２５９】
2019536338.tif 000264
【数２６０】
2019536338.tif 000265
のとき
【数２６１】
2019536338.tif 000266
は以下を満たし：
【数２６２】
2019536338.tif 000267
又は
【数２６３】
2019536338.tif 000268
のとき
【数２６４】
2019536338.tif 000269
は以下を満たし：
【数２６５】
2019536338.tif 000270
ここで、duは以下を満たし：
【数２６６】
2019536338.tif 000271
pは（p×u）modNZC=１を満たす最小非負整数として定義される、処理ユニット５０２と、を含む。
【０１２６】
基地局がランダムアクセス・プリアンブル・シーケンスを受信するとき、高速移動環境において端末装置間の相互干渉が回避でき、それによりランダムアクセスの成功率を向上する。
【０１２７】
例えば、ランダムアクセス・プリアンブル・シーケンスのパラメータはu=２２０及びNCS=１５である。図２Ｂに示すように、条件１を満たす循環シフト値はCv=０，１５，３０，４５，１２１，１３６，３１５，３３０であり、この場合、du=２２５である。基地局が、循環シフト値が０であるランダムアクセス・プリアンブル・シーケンスを検出するとき、ピーク値は、循環シフト値３８９，６１４，０，２２５，又は４５０から開始する１５個のシフト値の位置で生じてよい。基地局が、循環シフト値が３３０であるランダムアクセス・プリアンブル・シーケンスを検出するとき、ピーク値は、循環シフト値７１９，１０５，３３０，５５５，又は７８０から開始する１５個のシフト値の位置で生じてよい。２つのシーケンスが有し得るピーク値は重なり合わず、それにより、基地局検出中の曖昧さ、及び端末装置間の相互干渉を回避する。
【０１２８】
（ステップ３０２において実装１に対応する）
【数２６７】
2019536338.tif 000272
、（ステップ３０２において実装２に対応する）
【数２６８】
2019536338.tif 000273
、（ステップ３０２において実装３に対応する）
【数２６９】
2019536338.tif 000274
、（ステップ３０２において実装４に対応する）
【数２７０】
2019536338.tif 000275
の４つの実装について、処理ユニット５０２は、実装１〜実装４のうちの任意の１つのみを実施するよう構成されてよい。代替として、処理ユニット５０２は、実装１〜実装４の任意の組み合わせに基づき処理を実行してよい。例えば、処理ユニット５０２は実装１のみを実施する。処理ユニット５０２がxu,v(n)を決定するとき、xu,v(n)に対応する次式：
【数２７１】
2019536338.tif 000276
は式（４）〜（１１）を満たす。代替として、処理ユニット５０２は、実装１〜実装４を実施する。
【０１２９】
図６に、プロセッサ６０１、送信機６０２、及び受信機６０３を含む端末装置１０が示される。図７に、プロセッサ７０２、送信機７０３、及び受信機７０１を含む基地局２０が示される。
【０１３０】
処理ユニット４０１は、具体的にプロセッサ６０１であってよい。送信ユニット４０２は、具体的に送信機６０２であってよい。受信ユニット４０３は、具体的に受信機６０３であってよい。処理ユニット５０２は、具体的にプロセッサ７０２であってよい。送信ユニット５０３は、具体的に送信機７０３であってよい。受信ユニット５０１は、具体的に受信機７０１であってよい。
【０１３１】
理解されるべきことに、本発明の本実施形態では、プロセッサ６０１及び７０２は中央処理ユニット（Central  Processing  Unit、略称：CPU）であってよく、又はプロセッサ６０１及び７０２は別の汎用プロセッサ、デジタル信号プロセッサ（DSP）、特定用途向け集積回路（ASIC）、フィールドプログラマブルゲートアレイ（FPGA）、又は別のプログラマブル論理素子、個別ゲート若しくはトランジスタ論理素子、個別ハードウェアコンポーネント、等であってよい。汎用プロセッサはマイクロプロセッサであってよく、又はプロセッサは任意の従来のプロセッサ等であってよい、等である。
【０１３２】
本発明の目的、技術的ソリューション、及び有利な効果は、前述の特定の実施形態において更に詳細に説明された。理解されるべきことに、上述の説明は、本発明の単なる特定の実装であり、本発明の保護範囲を制限することを意図しない。本発明の技術的ソリューションに基づき行われる任意の変更、等価置換、又は改良は、本発明の保護範囲に含まれるべきである。
【図１】
2019536338.tif 000433
【図２ａ】
2019536338.tif 000434
【図２ｂ】
2019536338.tif 000435
【図３】
2019536338.tif 000436
【図４】
2019536338.tif 000437
【図５】
2019536338.tif 000438
【図６】
2019536338.tif 000439
【図７】
2019536338.tif 000440
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
通信システムの装置においてランダムアクセス・プリアンブル・シーケンスを送信する方法であって、
ランダムアクセス・プリアンブル・シーケンスxu,v(n)を送信するステップであって、xu,v(n)はuのルートシーケンス番号及びNZCのシーケンス長を有するシーケンスに基づき、xu,v(n)=xu((n+Cv)modNZC)であり、modはモジュロ演算を表し、Cvは次式を満たす循環シフトであり：
【数１】
2019536338.tif 000441
NCSは整数であり、
【数２】
2019536338.tif 000442
のとき
【数３】
2019536338.tif 000443
は以下を満たし：
【数４】
2019536338.tif 000444
duは以下を満たし：
【数５】
2019536338.tif 000445
pは、(p×u)modNZC=１を満たす最小非負整数として定義される、ステップ、
を含む方法。
【請求項２】
【数６】
2019536338.tif 000446
のとき
【数７】
2019536338.tif 000447
は以下を満たす：
【数８】
2019536338.tif 000448
請求項１に記載の方法。
【請求項３】
【数９】
2019536338.tif 000449
のとき
【数１０】
2019536338.tif 000450
は以下を満たす：
【数１１】
2019536338.tif 000451
請求項１又は２に記載の方法。
【請求項４】
【数１２】
2019536338.tif 000452
のとき
【数１３】
2019536338.tif 000453
は以下を満たす：
【数１４】
2019536338.tif 000454
請求項１乃至３のいずれか一項に記載の方法。
【請求項５】
【数１５】
2019536338.tif 000455
のとき
【数１６】
2019536338.tif 000456
は以下を満たし：
【数１７】
2019536338.tif 000457
並びに
【数１８】
2019536338.tif 000458
のとき
【数１９】
2019536338.tif 000459
は以下を満たす：
【数２０】
2019536338.tif 000460
請求項１乃至４のいずれか一項に記載の方法。
【請求項６】
Ncsインデックスを示すために使用される指示情報を受信するステップ、
を更に含む請求項１乃至５のいずれか一項に記載の方法。
【請求項７】
前記NcsインデックスとNcsの値との間のマッピング関係は以下を満たす：
【表１】
2019536338.tif 000461
請求項６に記載の方法。
【請求項８】
uの前記ルートシーケンス番号及びNZCの前記シーケンス長を有する前記シーケンスは以下を満たす：
【数２１】
2019536338.tif 000462
請求項１乃至７のいずれか一項に記載の方法。
【請求項９】
論理ルートシーケンス番号を取得するステップであって、前記論理ルートシーケンス番号は前記ルートシーケンス番号uに関連付けられる、ステップ、
を更に含む請求項１乃至８のいずれか一項に記載の方法。
【請求項１０】
通信システムの装置においてランダムアクセス・プリアンブル・シーケンスを送信する方法であって、
ランダムアクセス・プリアンブル・シーケンスxu,v(n)を送信するステップであって、xu,v(n)はuのルートシーケンス番号及びNZCのシーケンス長を有するシーケンスに基づき、xu,v(n)=xu((n+Cv)modNZC)であり、modはモジュロ演算を表し、Cvは次式を満たす循環シフトであり：
【数２２】
2019536338.tif 000463
NCSは整数であり、
【数２３】
2019536338.tif 000464
のとき
【数２４】
2019536338.tif 000465
は以下を満たし：
【数２５】
2019536338.tif 000466
duは以下を満たし：
【数２６】
2019536338.tif 000467
pは、(p×u)modNZC=１を満たす最小非負整数として定義される、ステップ、
を含む方法。
【請求項１１】
【数２７】
2019536338.tif 000468
のとき
【数２８】
2019536338.tif 000469
は以下を満たす：
【数２９】
2019536338.tif 000470
請求項１０に記載の方法。
【請求項１２】
【数３０】
2019536338.tif 000471
のとき
【数３１】
2019536338.tif 000472
は以下を満たす：
【数３２】
2019536338.tif 000473
請求項１０又は１１に記載の方法。
【請求項１３】
【数３３】
2019536338.tif 000474
のとき
【数３４】
2019536338.tif 000475
は以下を満たし：
【数３５】
2019536338.tif 000476
並びに
【数３６】
2019536338.tif 000477
のとき
【数３７】
2019536338.tif 000478
は以下を満たす：
【数３８】
2019536338.tif 000479
請求項１０乃至１２のいずれか一項に記載の方法。
【請求項１４】
Ncsインデックスを示すために使用される指示情報を受信するステップ、
を更に含む請求項１０乃至１３のいずれか一項に記載の方法。
【請求項１５】
前記NcsインデックスとNcsの値との間のマッピング関係は以下を満たす：
【表２】
2019536338.tif 000480
請求項１４に記載の方法。
【請求項１６】
uの前記ルートシーケンス番号及びNZCの前記シーケンス長を有する前記シーケンスは以下を満たす：
【数３９】
2019536338.tif 000481
請求項１０乃至１５のいずれか一項に記載の方法。
【請求項１７】
論理ルートシーケンス番号を取得するステップであって、前記論理ルートシーケンス番号は前記ルートシーケンス番号uに関連付けられる、ステップ、
を更に含む請求項１０乃至１６のいずれか一項に記載の方法。
【請求項１８】
通信システムの装置においてランダムアクセス・プリアンブル・シーケンスを送信する方法であって、
ランダムアクセス・プリアンブル・シーケンスxu,v(n)を送信するステップであって、xu,v(n)はuのルートシーケンス番号及びNZCのシーケンス長を有するシーケンスに基づき、xu,v(n)=xu((n+Cv)modNZC)であり、modはモジュロ演算を表し、Cvは次式を満たす循環シフトであり：
【数４０】
2019536338.tif 000482
NCSは整数であり、
【数４１】
2019536338.tif 000483
のとき
【数４２】
2019536338.tif 000484
は以下を満たし：
【数４３】
2019536338.tif 000485
duは以下を満たし：
【数４４】
2019536338.tif 000486
pは、(p×u)modNZC=１を満たす最小非負整数として定義される、ステップ、
を含む方法。
【請求項１９】
【数４５】
2019536338.tif 000487
のとき
【数４６】
2019536338.tif 000488
は以下を満たす：
【数４７】
2019536338.tif 000489
請求項１８に記載の方法。
【請求項２０】
【数４８】
2019536338.tif 000490
のとき
【数４９】
2019536338.tif 000491
は以下を満たし：
【数５０】
2019536338.tif 000492
並びに
【数５１】
2019536338.tif 000493
のとき
【数５２】
2019536338.tif 000494
は以下を満たす：
【数５３】
2019536338.tif 000495
請求項１８又は１９に記載の方法。
【請求項２１】
Ncsインデックスを示すために使用される指示情報を受信するステップ、
を更に含む請求項１８乃至２０のいずれか一項に記載の方法。
【請求項２２】
前記NcsインデックスとNcsの値との間のマッピング関係は以下を満たす：
【表３】
2019536338.tif 000496
請求項２１に記載の方法。
【請求項２３】
uの前記ルートシーケンス番号及びNZCの前記シーケンス長を有する前記シーケンスは以下を満たす：
【数５４】
2019536338.tif 000497
請求項１８乃至２２のいずれか一項に記載の方法。
【請求項２４】
論理ルートシーケンス番号を取得するステップであって、前記論理ルートシーケンス番号は前記ルートシーケンス番号uに関連付けられる、ステップ、
を更に含む請求項１８乃至２３のいずれか一項に記載の方法。
【請求項２５】
通信システムの装置においてランダムアクセス・プリアンブル・シーケンスを送信する方法であって、
ランダムアクセス・プリアンブル・シーケンスxu,v(n)を送信するステップであって、xu,v(n)はuのルートシーケンス番号及びNZCのシーケンス長を有するシーケンスに基づき、xu,v(n)=xu((n+Cv)modNZC)であり、modはモジュロ演算を表し、Cvは次式を満たす循環シフトであり：
【数５５】
2019536338.tif 000498
NCSは整数であり、
【数５６】
2019536338.tif 000499
のとき
【数５７】
2019536338.tif 000500
は以下を満たし：
【数５８】
2019536338.tif 000501
duは以下を満たし：
【数５９】
2019536338.tif 000502
pは、(p×u)modNZC=１を満たす最小非負整数として定義される、ステップ、
を含む方法。
【請求項２６】
【数６０】
2019536338.tif 000503
のとき
【数６１】
2019536338.tif 000504
は以下を満たし：
【数６２】
2019536338.tif 000505
並びに
【数６３】
2019536338.tif 000506
のとき
【数６４】
2019536338.tif 000507
は以下を満たす：
【数６５】
2019536338.tif 000508
請求項２５に記載の方法。
【請求項２７】
Ncsインデックスを示すために使用される指示情報を受信するステップ、
を更に含む請求項２５又は２６に記載の方法。
【請求項２８】
前記NcsインデックスとNcsの値との間のマッピング関係は以下を満たす：
【表４】
2019536338.tif 000509
請求項２７に記載の方法。
【請求項２９】
uの前記ルートシーケンス番号及びNZCの前記シーケンス長を有する前記シーケンスは以下を満たす：
【数６６】
2019536338.tif 000510
請求項２５乃至２８のいずれか一項に記載の方法。
【請求項３０】
論理ルートシーケンス番号を取得するステップであって、前記論理ルートシーケンス番号は前記ルートシーケンス番号uに関連付けられる、ステップ、
を更に含む請求項２５乃至２９のいずれか一項に記載の方法。
【請求項３１】
通信システムの装置であって、前記装置は、請求項１乃至３０のいずれか一項に記載の方法を実行するよう構成される装置。
【請求項３２】
前記装置は端末装置である、請求項３１に記載の装置。
【請求項３３】
通信システムの装置においてランダムアクセス・プリアンブル・シーケンスを受信する方法であって、
ランダムアクセス・プリアンブル・シーケンスxu,v(n)を受信するステップであって、xu,v(n)はuのルートシーケンス番号及びNZCのシーケンス長を有するシーケンスに基づき、xu,v(n)=xu((n+Cv)modNZC)であり、modはモジュロ演算を表し、Cvは次式を満たす循環シフトであり：
【数６７】
2019536338.tif 000511
NCSは整数であり、
【数６８】
2019536338.tif 000512
のとき
【数６９】
2019536338.tif 000513
は以下を満たし：
【数７０】
2019536338.tif 000514
duは以下を満たし：
【数７１】
2019536338.tif 000515
pは、(p×u)modNZC=１を満たす最小非負整数として定義される、ステップ、
を含む方法。
【請求項３４】
【数７２】
2019536338.tif 000516
のとき
【数７３】
2019536338.tif 000517
は以下を満たす：
【数７４】
2019536338.tif 000518
請求項３３に記載の方法。
【請求項３５】
【数７５】
2019536338.tif 000519
のとき
【数７６】
2019536338.tif 000520
は以下を満たす：
【数７７】
2019536338.tif 000521
請求項３３又は３４に記載の方法。
【請求項３６】
【数７８】
2019536338.tif 000522
のとき
【数７９】
2019536338.tif 000523
は以下を満たす：
【数８０】
2019536338.tif 000524
請求項３３乃至３５のいずれか一項に記載の方法。
【請求項３７】
【数８１】
2019536338.tif 000525
のとき
【数８２】
2019536338.tif 000526
は以下を満たし：
【数８３】
2019536338.tif 000527
並びに
【数８４】
2019536338.tif 000528
のとき
【数８５】
2019536338.tif 000529
は以下を満たす：
【数８６】
2019536338.tif 000530
請求項３３乃至３６のいずれか一項に記載の方法。
【請求項３８】
Ncsインデックスを示すために使用される指示情報を送信するステップ、
を更に含む請求項３３乃至３７のいずれか一項に記載の方法。
【請求項３９】
前記NcsインデックスとNcsの値との間のマッピング関係は以下を満たす：
【表５】
2019536338.tif 000531
請求項３８に記載の方法。
【請求項４０】
uの前記ルートシーケンス番号及びNZCの前記シーケンス長を有する前記シーケンスは以下を満たす：
【数８７】
2019536338.tif 000532
請求項３３乃至３９のいずれか一項に記載の方法。
【請求項４１】
論理ルートシーケンス番号を指示するステップであって、前記論理ルートシーケンス番号は前記ルートシーケンス番号uに関連付けられる、ステップ、
を更に含む請求項３３乃至４０のいずれか一項に記載の方法。
【請求項４２】
通信システムの装置においてランダムアクセス・プリアンブル・シーケンスを受信する方法であって、
ランダムアクセス・プリアンブル・シーケンスxu,v(n)を受信するステップであって、xu,v(n)はuのルートシーケンス番号及びNZCのシーケンス長を有するシーケンスに基づき、xu,v(n)=xu((n+Cv)modNZC)であり、modはモジュロ演算を表し、Cvは次式を満たす循環シフトであり：
【数８８】
2019536338.tif 000533
NCSは整数であり、
【数８９】
2019536338.tif 000534
のとき
【数９０】
2019536338.tif 000535
は以下を満たし：
【数９１】
2019536338.tif 000536
duは以下を満たし：
【数９２】
2019536338.tif 000537
pは、(p×u)modNZC=１を満たす最小非負整数として定義される、ステップ、
を含む方法。
【請求項４３】
【数９３】
2019536338.tif 000538
のとき
【数９４】
2019536338.tif 000539
は以下を満たす：
【数９５】
2019536338.tif 000540
請求項４２に記載の方法。
【請求項４４】
【数９６】
2019536338.tif 000541
のとき
【数９７】
2019536338.tif 000542
は以下を満たす：
【数９８】
2019536338.tif 000543
請求項４２又は４３に記載の方法。
【請求項４５】
【数９９】
2019536338.tif 000544
のとき
【数１００】
2019536338.tif 000545
は以下を満たし：
【数１０１】
2019536338.tif 000546
並びに
【数１０２】
2019536338.tif 000547
のとき
【数１０３】
2019536338.tif 000548
は以下を満たす：
【数１０４】
2019536338.tif 000549
請求項４２乃至４４のいずれか一項に記載の方法。
【請求項４６】
Ncsインデックスを示すために使用される指示情報を送信するステップ、
を更に含む請求項４２乃至４５のいずれか一項に記載の方法。
【請求項４７】
前記NcsインデックスとNcsの値との間のマッピング関係は以下を満たす：
【表６】
2019536338.tif 000550
請求項４６に記載の方法。
【請求項４８】
uの前記ルートシーケンス番号及びNZCの前記シーケンス長を有する前記シーケンスは以下を満たす：
【数１０５】
2019536338.tif 000551
請求項４２乃至４７のいずれか一項に記載の方法。
【請求項４９】
論理ルートシーケンス番号を指示するステップであって、前記論理ルートシーケンス番号は前記ルートシーケンス番号uに関連付けられる、ステップ、
を更に含む請求項４２乃至４８のいずれか一項に記載の方法。
【請求項５０】
通信システムの装置においてランダムアクセス・プリアンブル・シーケンスを受信する方法であって、
ランダムアクセス・プリアンブル・シーケンスxu,v(n)を受信するステップであって、xu,v(n)はuのルートシーケンス番号及びNZCのシーケンス長を有するシーケンスに基づき、xu,v(n)=xu((n+Cv)modNZC)であり、modはモジュロ演算を表し、Cvは次式を満たす循環シフトであり：
【数１０６】
2019536338.tif 000552
NCSは整数であり、
【数１０７】
2019536338.tif 000553
のとき
【数１０８】
2019536338.tif 000554
は以下を満たし：
【数１０９】
2019536338.tif 000555
duは以下を満たし：
【数１１０】
2019536338.tif 000556
pは、(p×u)modNZC=１を満たす最小非負整数として定義される、ステップ、
を含む方法。
【請求項５１】
【数１１１】
2019536338.tif 000557
のとき
【数１１２】
2019536338.tif 000558
は以下を満たす：
【数１１３】
2019536338.tif 000559
請求項５０に記載の方法。
【請求項５２】
【数１１４】
2019536338.tif 000560
のとき
【数１１５】
2019536338.tif 000561
は以下を満たし：
【数１１６】
2019536338.tif 000562
並びに
【数１１７】
2019536338.tif 000563
のとき
【数１１８】
2019536338.tif 000564
は以下を満たす：
【数１１９】
2019536338.tif 000565
請求項５０又は５１に記載の方法。
【請求項５３】
Ncsインデックスを示すために使用される指示情報を送信するステップ、
を更に含む請求項５０乃至５２のいずれか一項に記載の方法。
【請求項５４】
前記NcsインデックスとNcsの値との間のマッピング関係は以下を満たす：
【表７】
2019536338.tif 000566
請求項５３に記載の方法。
【請求項５５】
uの前記ルートシーケンス番号及びNZCの前記シーケンス長を有する前記シーケンスは以下を満たす：
【数１２０】
2019536338.tif 000567
請求項５０乃至５４のいずれか一項に記載の方法。
【請求項５６】
論理ルートシーケンス番号を指示するステップであって、前記論理ルートシーケンス番号は前記ルートシーケンス番号uに関連付けられる、ステップ、
を更に含む請求項５０乃至５５のいずれか一項に記載の方法。
【請求項５７】
通信システムの装置においてランダムアクセス・プリアンブル・シーケンスを受信する方法であって、
ランダムアクセス・プリアンブル・シーケンスxu,v(n)を受信するステップであって、xu,v(n)はuのルートシーケンス番号及びNZCのシーケンス長を有するシーケンスに基づき、xu,v(n)=xu((n+Cv)modNZC)であり、modはモジュロ演算を表し、Cvは次式を満たす循環シフトであり：
【数１２１】
2019536338.tif 000568
NCSは整数であり、
【数１２２】
2019536338.tif 000569
のとき
【数１２３】
2019536338.tif 000570
は以下を満たし：
【数１２４】
2019536338.tif 000571
duは以下を満たし：
【数１２５】
2019536338.tif 000572
pは、(p×u)modNZC=１を満たす最小非負整数として定義される、ステップ、
を含む方法。
【請求項５８】
【数１２６】
2019536338.tif 000573
のとき
【数１２７】
2019536338.tif 000574
は以下を満たし：
【数１２８】
2019536338.tif 000575
並びに
【数１２９】
2019536338.tif 000576
のとき
【数１３０】
2019536338.tif 000577
は以下を満たす：
【数１３１】
2019536338.tif 000578
請求項５７に記載の方法。
【請求項５９】
Ncsインデックスを示すために使用される指示情報を送信するステップ、
を更に含む請求項５７又は５８に記載の方法。
【請求項６０】
前記NcsインデックスとNcsの値との間のマッピング関係は以下を満たす：
【表８】
2019536338.tif 000579
請求項５９に記載の方法。
【請求項６１】
uの前記ルートシーケンス番号及びNZCの前記シーケンス長を有する前記シーケンスは以下を満たす：
【数１３２】
2019536338.tif 000580
請求項５７乃至６０のいずれか一項に記載の方法。
【請求項６２】
論理ルートシーケンス番号を指示するステップであって、前記論理ルートシーケンス番号は前記ルートシーケンス番号uに関連付けられる、ステップ、
を更に含む請求項５７乃至６１のいずれか一項に記載の方法。
【請求項６３】
通信システムの装置であって、前記装置は、請求項３３乃至６２のいずれか一項に記載の方法を実行するよう構成される装置。
【請求項６４】
前記装置は基地局である、請求項６３に記載の装置。
【請求項６５】
通信システムであって、
請求項１乃至９のいずれか一項に記載の方法のステップを実行するよう構成される装置、及び請求項３３乃至４１のいずれか一項に記載の方法のステップを実行するよう構成される装置、又は、
請求項１０乃至１７のいずれか一項に記載の方法のステップを実行するよう構成される装置、及び請求項４２乃至４９のいずれか一項に記載の方法のステップを実行するよう構成される装置、又は、
請求項１８乃至２４のいずれか一項に記載の方法のステップを実行するよう構成される装置、及び請求項５０乃至５６のいずれか一項に記載の方法のステップを実行するよう構成される装置、又は、
請求項２５乃至３０のいずれか一項に記載の方法のステップを実行するよう構成される装置、及び請求項５７乃至６２のいずれか一項に記載の方法のステップを実行するよう構成される装置、
を含む通信システム。
【国際調査報告】
2019536338.tif 000581
2019536338.tif 000582
2019536338.tif 000583
2019536338.tif 000584